(57)【特許請求の範囲】
【請求項１】
無線リソース構成方法であって、前記無線リソース構成方法は、
ユーザ機器（ＵＥ）が、第１の無線アクセス技術（ＲＡＴ）の第１のシグナリング無線ベアラ（ＳＲＢ）から無線リソース構成のメッセージを受信することであって、前記第１のＲＡＴは、前記ＵＥと前記第１のＲＡＴの第１のネットワーク要素との間に確立され、前記メッセージは、第１の構成の情報を搬送し、前記第１の構成は、前記第１のＲＡＴの無線リソースの構成である、ことと、
前記第１の構成の情報に従って、前記ＵＥが前記第１のＲＡＴの無線リソースを構成することを失敗すると判定することに応答して、前記ＵＥが、前記無線リソース構成の応答メッセージを送信することにより、前記第１のＲＡＴの無線リソース構成の失敗を示すことと
を含み、
前記応答メッセージは、支援情報を含み、前記支援情報は、前記第１のＲＡＴの無線チャネル上の前記ＵＥの測定結果と、失敗原因とを含み、
前記応答メッセージを送信することは、第２のＲＡＴの第２のＳＲＢを通して前記応答メッセージを送信することと、前記支援情報を前記第２のネットワーク要素に報告することとを含み、前記第２のＲＡＴは、第２のネットワーク要素と前記ＵＥとの間に確立され、前記第２のＳＲＢは、前記第１のＳＲＢとは異なり、前記第２のネットワーク要素は、前記第１のネットワーク要素とは異なり、前記第１のネットワーク要素および前記第２のネットワーク要素は、無線インタフェースを経由して前記ＵＥのための通信サービスを同時に提供する、無線リソース構成方法。
【請求項２】
前記第１の構成は、前記ＵＥのために前記第１のネットワーク要素によって実行される構成であり、
前記第２のネットワーク要素は、前記ＵＥとコアネットワークとの間に唯一の制御プレーンインターフェースを確立し、
前記第１のＲＡＴは、前記第２のＲＡＴとは異なる、請求項１に記載の無線リソース構成方法。
【請求項３】
前記無線リソース構成の応答メッセージは、二次セルグループ（ＳＣＧ）失敗情報のためのメッセージを含む、請求項１に記載の無線リソース構成方法。
【請求項４】
メモリとプロセッサとを備えるユーザ機器（ＵＥ）であって、
前記メモリは、プログラムコードを記憶するように構成されており、
前記プロセッサは、
第１の無線アクセス技術（ＲＡＴ）の第１のシグナリング無線ベアラ（ＳＲＢ）から無線リソース構成のメッセージを受信することであって、前記第１のＲＡＴは、前記ＵＥと前記第１のＲＡＴの第１のネットワーク要素との間に確立され、前記メッセージは、第１の構成の情報を搬送し、前記第１の構成は、前記第１のＲＡＴの無線リソースの構成である、ことと、
前記第１の構成の情報に従って実施される前記第１のＲＡＴの無線リソースの構成が失敗すると判定することに応答して、前記無線リソース構成の応答メッセージを送信することにより、前記第１のＲＡＴの無線リソース構成の失敗を示すことと
を実施するように前記プログラムコードを実行するように構成されており、
前記応答メッセージは、支援情報を含み、前記支援情報は、前記第１のＲＡＴの無線チャネル上の前記ＵＥの測定結果と、失敗原因とを含み、
前記応答メッセージを送信することは、第２のＲＡＴの第２のＳＲＢを通して前記応答メッセージを送信することと、前記支援情報を前記第２のネットワーク要素に報告することとを含み、前記第２のＲＡＴは、第２のネットワーク要素と前記ＵＥとの間に確立され、前記第２のＳＲＢは、前記第１のＳＲＢとは異なり、前記第２のネットワーク要素は、前記第１のネットワーク要素とは異なり、前記第１のネットワーク要素および前記第２のネットワーク要素は、無線インタフェースを経由して前記ＵＥのための通信サービスを同時に提供する、ＵＥ。
【請求項５】
請求項１に記載のリソース構成方法を実行するためのコンピュータ実行可能な命令を記憶するように構成されているコンピュータ読み取り可能な記憶媒体。
【請求項６】
請求項２に記載のリソース構成方法を実行するためのコンピュータ実行可能な命令を記憶するように構成されているコンピュータ読み取り可能な記憶媒体。
【請求項７】
請求項３に記載のリソース構成方法を実行するためのコンピュータ実行可能な命令を記憶するように構成されているコンピュータ読み取り可能な記憶媒体。
【請求項８】
前記第１の構成は、前記ＵＥのために前記第１のネットワーク要素によって実行される構成であり、
前記第２のネットワーク要素は、前記ＵＥとコアネットワークとの間に唯一の制御プレーンインターフェースを確立し、
前記第１のＲＡＴは、前記第２のＲＡＴとは異なる、請求項４に記載のＵＥ。
【請求項９】
前記無線リソース構成の応答メッセージは、二次セルグループ（ＳＣＧ）失敗情報のためのメッセージを含む、請求項４に記載のＵＥ。
【発明の詳細な説明】
【技術分野】
【０００１】
本開示は、通信の技術分野に関し、例えば、無線リソース構成方法および装置、ユーザ機器、ならびにネットワーク要素に関する。
【背景技術】
【０００２】
第４世代（４Ｇ）通信システムが成熟した時代では、第５世代（５Ｇ）通信システムに関する研究が、より良好な通信体験を求めるために分野内で開始されている。
【０００３】
Ｅ−ＵＴＲＡＮノードＢ（ｅＮＢ）は、４Ｇ無線アクセスネットワーク（ＲＡＮ）内で展開され、無線インターフェースを経由してロングタームエボリューション（ＬＴＥ）無線アクセス技術（ＲＡＴ）を使用し、進化型パケットコア（ＥＰＣ）にアクセスする。そのようなＬＴＥ  ｅＮＢと異なり、世代ノードＢ（ｇＮＢ）は、５Ｇ  ＲＡＮ内で展開され、無線インターフェースを経由して新規無線（ＮＲ）ＲＡＴを使用し、次世代コア（ＮＧＣ）にアクセスする。
【０００４】
広く展開されたＬＴＥ  ｅＮＢを十分に活用するために、業界は、ＬＴＥ−ＮＲ緊密インターワーキングと称される、ＬＴＥ  ｅＮＢとＮＲ  ｇＮＢとの間の緊密な結合および相互運用の様式でユーザ機器（ＵＥ）のための通信サービスを提供するためのシステムアーキテクチャを提案し、ＵＥはまた、ユーザ端末とも称される。ＬＴＥとＮＲとの間の緊密な結合および相互運用は、ＵＥが、同時に２つのＲＡＴの無線リソースを使用することができ、それに対応して、２つのＲＡＴスケジューラによって別個にスケジュールされることを指す。２つの独立したスケジューラは、それぞれ、ＲＡＮ内の２つのノードの中に位置し、２つのノードは、理想または非理想的ネットワーク要素の間のインターフェースを介して接続される。コアネットワークでは、ＵＥは、依然として、制御プレーン（ＣＰ）インターフェースの１つだけの接続を有する。
【発明の概要】
【課題を解決するための手段】
【０００５】
（要約）
無線リソース構成方法は、下記に説明されるステップを含む。
ＵＥは、第１のＲＡＴの第１のシグナリング無線ベアラ（ＳＲＢ）から無線リソース構成のメッセージを受信し、メッセージは、第１の構成の情報を搬送し、第１の構成は、第１のＲＡＴの無線リソースの構成である。
第１の構成の情報に従って、ＵＥが第１のＲＡＴの無線リソースを構成することができないと判定することに応答して、ＵＥは、無線リソース構成の応答メッセージを送信し、第１のＲＡＴの無線リソース構成が失敗することを示す。
【０００６】
無線リソース構成装置は、ＵＥの中に構成され、受信モジュールと、構成モジュールと、応答モジュールとを含む。
受信モジュールは、第１のＲＡＴの第１のＳＲＢから無線リソース構成のメッセージを受信するように構成され、メッセージは、第１の構成の情報を搬送し、第１の構成は、第１のＲＡＴの無線リソースの構成である。
構成モジュールは、第１の構成の情報に従って、第１のＲＡＴの無線リソースを構成するように構成される。
応答モジュールは、第１のＲＡＴの無線リソースの構成が失敗すると判定することに応答して、無線リソース構成の応答メッセージを送信し、第１のＲＡＴの無線リソース構成が失敗することを示すように構成される。
【０００７】
ＵＥは、メモリと、プロセッサとを含む。
メモリは、プログラムコードを記憶するように構成される。
プロセッサは、以下の処理：
第１のＲＡＴの第１のＳＲＢから無線リソース構成のメッセージを受信することであって、メッセージは、第１の構成の情報を搬送し、第１の構成は、第１のＲＡＴの無線リソースの構成である、ことと、
第１の構成の情報に従って実施される第１のＲＡＴの無線リソースの構成が失敗すると判定することに応答して、無線リソース構成の応答メッセージを送信し、第１のＲＡＴの無線リソース構成が失敗することを示すことと
を実施するために、プログラムコードを読み取るように構成される。
【０００８】
無線リソース構成方法は、下記に説明されるステップを含む。
第１のＲＡＴを使用する第１のネットワーク要素は、第１のＲＡＴのＳＲＢを通して、ＵＥによって返される無線リソース構成の応答メッセージを受信および処理し、応答メッセージは、第２のＲＡＴの無線リソース構成の失敗についてのレポート情報を搬送する。
第１のネットワーク要素および第２のＲＡＴを使用する第２のネットワーク要素は、同時に、無線インターフェースを経由してＵＥのための通信サービスを提供し、第１のネットワーク要素は、ＵＥとコアネットワークとの間に唯一の制御プレーンインターフェースを確立し、第１のＲＡＴは、第２のＲＡＴと異なる。
【０００９】
無線リソース構成装置は、第１のＲＡＴを使用する第１のネットワーク要素の中で構成され、処理モジュールを含む。
処理モジュールは、第１のＲＡＴのＳＲＢを通して、ＵＥによって返される無線リソース構成の応答メッセージを受信および処理するように構成され、応答メッセージは、第２のＲＡＴの無線リソース構成の失敗についてのレポート情報を搬送する。
第１のネットワーク要素および第２のＲＡＴを使用する第２のネットワーク要素は、同時に、無線インターフェースを経由してＵＥのための通信サービスを提供し、第１のネットワーク要素は、ＵＥとコアネットワークとの間に唯一の制御プレーンインターフェースを確立し、第１のＲＡＴは、第２のＲＡＴと異なる。
【００１０】
ネットワーク要素は、メモリと、プロセッサとを含む。
メモリは、プログラムコードを記憶するように構成される。
プロセッサは、以下の処理：第１のＲＡＴのＳＲＢを通して、ＵＥによって返される無線リソース構成の応答メッセージを受信および処理することを実施するために、プログラムコードを読み取るように構成され、応答メッセージは、第２のＲＡＴの無線リソース構成の失敗についてのレポート情報を搬送する。
第１のＲＡＴを使用するネットワーク要素および第２のＲＡＴを使用する第１のネットワーク要素は、同時に、無線インターフェースを経由してＵＥのための通信サービスを提供し、ネットワーク要素は、ＵＥとコアネットワークとの間に唯一の制御プレーンインターフェースを確立する。
【００１１】
無線リソース構成方法は、下記に説明されるステップを含む。
第１のネットワーク要素は、第１のネットワーク要素とＵＥとの間に確立される第１のＲＡＴのＳＲＢを通して、無線リソース構成のメッセージをＵＥに送信し、メッセージは、第１の構成の情報を搬送し、第１の構成は、ＵＥのために第１のネットワーク要素によって実施される第１のＲＡＴの無線リソースの構成である。
第１のネットワーク要素は、ＵＥから第１のＲＡＴの無線リソース構成の失敗についてのレポート情報を受信および処理し、または第２のネットワーク要素によってレポート情報に従って実施される無線リソース管理決定の結果を受信および処理する。
第１のＲＡＴを使用する第１のネットワーク要素および第２のＲＡＴを使用する第２のネットワーク要素は、同時に、無線インターフェースを経由してＵＥのための通信サービスを提供し、第２のネットワーク要素は、ＵＥとコアネットワークとの間に唯一の制御プレーンインターフェースを確立する。
【００１２】
無線リソース構成装置は、第１のＲＡＴを使用する第１のネットワーク要素の中で構成され、送信モジュールと、処理モジュールとを含む。
送信モジュールは、第１のネットワーク要素とＵＥとの間に確立される第１のＲＡＴのＳＲＢを通して、無線リソース構成のメッセージをＵＥに送信するように構成され、メッセージは、第１の構成の情報を搬送し、第１の構成は、ＵＥのために第１のネットワーク要素によって実施される第１のＲＡＴの無線リソースの構成である。
処理モジュールは、ＵＥから第１のＲＡＴの無線リソース構成の失敗についてのレポート情報を受信および処理し、または第２のネットワーク要素によってレポート情報に従って実施される無線リソース管理決定の結果を受信および処理するように構成される。
第１のネットワーク要素および第２のＲＡＴを使用する第２のネットワーク要素は、同時に、無線インターフェースを経由してＵＥのための通信サービスを提供し、第２のネットワーク要素は、ＵＥとコアネットワークとの間に唯一の制御プレーンインターフェースを確立する。
【００１３】
ネットワーク要素は、メモリと、プロセッサとを含む。
メモリは、プログラムコードを記憶するように構成される。
プロセッサは、以下の処理：
ネットワーク要素とＵＥとの間に確立される第１のＲＡＴのＳＲＢを通して、無線リソース構成のメッセージをＵＥに送信することであって、メッセージは、第１の構成の情報を搬送し、第１の構成は、ＵＥのためにネットワーク要素によって実施される第１のＲＡＴの無線リソースの構成である、ことと、
ＵＥから第１のＲＡＴの無線リソース構成の失敗についてのレポート情報を受信および処理すること、または第１のネットワーク要素によってレポート情報に従って実施される無線リソース管理決定の結果を受信および処理することと
を実施するために、プログラムコードを読み取るように構成される。
第１のＲＡＴを使用するネットワーク要素および第２のＲＡＴを使用する第１のネットワーク要素は、同時に、無線インターフェースを経由してＵＥのための通信サービスを提供し、第２のネットワーク要素は、ＵＥとコアネットワークとの間に唯一の制御プレーンインターフェースを確立する。
【００１４】
コンピュータ可読記憶媒体が、上記に説明される任意の方法を実行するためのコンピュータ実行可能命令を記憶するように構成される。
本願明細書は、例えば、以下の項目も提供する。
（項目１）
無線リソース構成方法であって、
ユーザ機器（ＵＥ）によって、第１の無線アクセス技術（ＲＡＴ）の第１のシグナリング無線ベアラ（ＳＲＢ）から無線リソース構成のメッセージを受信することであって、前記メッセージは、第１の構成の情報を搬送し、前記第１の構成は、前記第１のＲＡＴの無線リソースの構成である、ことと、
前記第１の構成の情報に従って、前記ＵＥが前記第１のＲＡＴの無線リソースを構成することができないと判定することに応答して、前記ＵＥによって、前記無線リソース構成の応答メッセージを送信し、前記第１のＲＡＴの無線リソース構成が失敗することを示すことと
を含む、方法。
（項目２）
前記第１のＳＲＢは、前記ＵＥと、前記第１のＲＡＴを使用する第１のネットワーク要素との間に確立され、
前記第１の構成は、前記ＵＥのために前記第１のネットワーク要素によって実施される構成であり、
前記第１のネットワーク要素および第２のＲＡＴを使用する第２のネットワーク要素は、同時に、無線インターフェースを経由して前記ＵＥのための通信サービスを提供し、
前記第２のネットワーク要素は、前記ＵＥとコアネットワークとの間に唯一の制御プレーンインターフェースを確立し、
前記第２のＲＡＴの第２のＳＲＢは、前記第２のネットワーク要素と前記ＵＥの間に確立され、
前記第１のＲＡＴは、前記第２のＲＡＴと異なる、項目１に記載の方法。
（項目３）
前記応答メッセージは、前記第１のＲＡＴの無線リソース構成の失敗についてのレポート情報を搬送し、前記レポート情報は、以下の情報：
前記第１のＲＡＴの無線リソースを再構成する際にネットワーク側を支援するための支援情報、または
前記第１のＲＡＴの無線リソース構成の失敗についてのインジケーション情報
のうちの少なくとも１つを備える、項目２に記載の方法。
（項目４）
前記支援情報は、以下の情報：失敗原因、または前記第１の構成で使用されることができない構成部分のうちの少なくとも１つを備え、または
前記支援情報は、前記第１のＲＡＴの無線チャネル上の前記ＵＥの測定結果と、前記以下の情報：前記失敗原因、または前記第１の構成で使用されることができない前記構成部分のうちの少なくとも１つとを備える、項目３に記載の方法。
（項目５）
前記ＵＥが前記応答メッセージを送信することは、
前記ＵＥによって、前記第２のＲＡＴに対応する抽象構文記法（ＡＳＮ．１）を使用することによって、前記レポート情報を符号化し、前記第２のＳＲＢを通して前記応答メッセージを送信し、処理のために前記レポート情報を前記第２のネットワーク要素に報告すること、または
前記ＵＥによって、前記第１のＲＡＴに対応するＡＳＮ．１を使用することによって、前記レポート情報を符号化し、前記第２のＳＲＢを通して前記応答メッセージを送信し、前記応答メッセージのコンテナの中で前記レポート情報を搬送し、前記第２のネットワーク要素を通して、処理のために前記コンテナを前記第１のネットワーク要素に転送すること
を含む、項目３に記載の方法。
（項目６）
前記無線リソース構成の応答メッセージは、無線リソース制御（ＲＲＣ）接続再構成完了メッセージ、二次セルグループ（ＳＣＧ）失敗情報のためのメッセージ、別のＲＲＣメッセージ、または新たに追加されたＲＲＣメッセージのうちの１つを備える、項目１−５のいずれか１項に記載の方法。
（項目７）
無線リソース構成方法であって、
第１の無線アクセス技術（ＲＡＴ）を使用する第１のネットワーク要素によって、前記第１のＲＡＴのシグナリング無線ベアラ（ＳＲＢ）を通して、ユーザ機器（ＵＥ）によって返される無線リソース構成の応答メッセージを受信および処理することを含み、
前記応答メッセージは、第２のＲＡＴの無線リソース構成の失敗についてのレポート情報を搬送し、
前記第１のネットワーク要素および前記第２のＲＡＴを使用する第２のネットワーク要素は、同時に、無線インターフェースを経由して前記ＵＥのための通信サービスを提供し、前記第１のネットワーク要素は、前記ＵＥとコアネットワークとの間に唯一の制御プレーンインターフェースを確立し、前記第１のＲＡＴは、前記第２のＲＡＴと異なる、方法。
（項目８）
前記レポート情報は、以下の情報：
前記第２のＲＡＴの無線リソース構成の失敗についてのインジケーション情報、または
前記第２のＲＡＴの無線リソースを再構成する際にネットワーク側を支援するための支援情報
のうちの少なくとも１つを備える、項目７に記載の方法。
（項目９）
前記支援情報は、以下の情報：失敗原因、または前記第２の構成で使用されることができない構成部分のうちの少なくとも１つを備え、または
前記支援情報は、前記第２のＲＡＴの無線チャネル上の前記ＵＥの測定結果と、前記以下の情報：前記失敗原因、または前記第２の構成で使用されることができない前記構成部分のうちの少なくとも１つとを備え、
前記第２の構成は、前記ＵＥのために前記第２のネットワーク要素によって実施される前記第２のＲＡＴの無線リソースの構成である、項目８に記載の方法。
（項目１０）
前記レポート情報は、前記第１のＲＡＴに対応する抽象構文記法（ＡＳＮ．１）を使用することによってコード化され、
前記第１のネットワーク要素によって、前記ＵＥによって返される前記無線リソース構成の応答メッセージを受信および処理することは、前記第１のネットワーク要素によって、前記レポート情報を復号し、前記レポート情報に従って無線リソース管理決定を実施することを含む、項目８に記載の方法。
（項目１１）
前記レポート情報は、前記第２のＲＡＴに対応するＡＳＮ．１を使用することによってコード化され、前記応答メッセージのコンテナの中で搬送され、
前記第１のネットワーク要素によって、前記ＵＥによって返される前記無線リソース構成の応答メッセージを受信および処理することは、
前記第１のネットワーク要素によって、前記コンテナを前記第２のネットワーク要素に転送し、前記第２のネットワーク要素が前記コンテナの中の前記レポート情報を復号した後、前記第２のネットワーク要素によって、前記レポート情報に従って無線リソース管理決定を実施することを含む、項目８に記載の方法。
（項目１２）
前記無線リソース管理決定の結果は、前記第２のネットワーク要素を解放すること、または前記第２のネットワーク要素を切り替えること、または前記第２のネットワーク要素によって前記第２のＲＡＴの無線リソースを再構成することである、項目１０または１１に記載の方法。
（項目１３）
前記無線リソース管理決定の結果が前記第２のネットワーク要素を解放することであると判定することに応答して、前記方法はさらに、前記第１のネットワーク要素によって、前記ＳＲＢを通して、前記第２のＲＡＴの無線リソースを解放するように前記ＵＥに通知することを含み、
前記無線リソース管理決定の結果が前記第２のネットワーク要素を切り替えることであると判定することに応答して、前記方法はさらに、前記第１のネットワーク要素によって、前記第２のネットワーク要素が切り替えられた後に、新しい第２のネットワーク要素によって送信される新しい第２のＲＡＴの無線リソース再構成の第１の再構成情報を受信し、前記ＳＲＢを通して前記第１の再構成情報を前記ＵＥに送信することを含み、
前記無線リソース管理決定の結果が前記第２のネットワーク要素によって前記第２のＲＡＴの無線リソースを再構成することであると判定することに応答して、前記方法はさらに、前記第１のネットワーク要素によって、前記第２のネットワーク要素によって送信される前記第２のＲＡＴの無線リソース再構成の第２の再構成情報を受信し、前記ＳＲＢを通して前記第２の再構成情報を前記ＵＥに送信することを含む、項目１２に記載の方法。
（項目１４）
無線リソース構成方法であって、
第１のネットワーク要素によって、前記第１のネットワーク要素とユーザ機器（ＵＥ）との間に確立される第１の無線アクセス技術（ＲＡＴ）のシグナリング無線ベアラ（ＳＲＢ）を通して、無線リソース構成のメッセージを前記ＵＥに送信することであって、前記メッセージは、第１の構成の情報を搬送し、前記第１の構成は、前記ＵＥのために前記第１のネットワーク要素によって実施される前記第１のＲＡＴの無線リソースの構成である、ことと、
前記第１のネットワーク要素によって、前記ＵＥから前記第１のＲＡＴの無線リソース構成の失敗についてのレポート情報を受信および処理すること、または第２のネットワーク要素によって前記レポート情報に従って実施される無線リソース管理決定の結果を受信および処理することと
を含み、
前記第１のＲＡＴを使用する前記第１のネットワーク要素および第２のＲＡＴを使用する前記第２のネットワーク要素は、同時に、無線インターフェースを経由して前記ＵＥのための通信サービスを提供し、前記第２のネットワーク要素は、前記ＵＥとコアネットワークとの間に唯一の制御プレーンインターフェースを確立する、方法。
（項目１５）
前記第１のネットワーク要素によって、前記ＵＥによる前記第１のＲＡＴの無線リソース構成の失敗についての前記レポート情報を受信および処理することは、
前記第１のネットワーク要素によって、コンテナを通して前記第２のネットワーク要素によって転送される前記レポート情報を受信し、前記レポート情報を復号し、前記レポート情報に従って無線リソース管理決定を実施することを含み、
前記レポート情報は、前記第１のＲＡＴに対応する抽象構文記法（ＡＳＮ．１）を使用することによってコード化される、項目１４に記載の方法。
（項目１６）
前記第１のネットワーク要素が、前記第２のネットワーク要素によって前記レポート情報に従って実施される前記無線リソース管理決定の結果を受信および処理すると判定することに応答して、前記無線リソース管理決定は、前記第２のネットワーク要素が前記ＵＥによって送信される前記レポート情報を受信および復号した後に開始され、前記レポート情報は、前記第２のＲＡＴに対応するＡＳＮ．１を使用することによってコード化される、項目１４に記載の方法。
（項目１７）
前記無線リソース管理決定の結果は、前記第１のネットワーク要素を解放すること、または前記第１のネットワーク要素を切り替えること、または前記第１のネットワーク要素によって前記第１のＲＡＴの無線リソースを再構成することである、項目１５または１６に記載の方法。
（項目１８）
前記無線リソース管理決定の結果が前記第１のネットワーク要素によって前記第１のＲＡＴの無線リソースを再構成することであると判定することに応答して、前記方法はさらに、前記第２のネットワーク要素を通して、前記第１のＲＡＴの無線リソース再構成の情報を前記ＵＥに転送することを含む、項目１４に記載の方法。
（項目１９）
前記レポート情報は、以下の情報：
前記第１のＲＡＴの無線リソース構成の失敗についてのインジケーション情報、または
前記第１のＲＡＴの無線リソースを再構成する際にネットワーク側を支援するための支援情報
のうちの少なくとも１つを備える、項目１５または１６に記載の方法。
（項目２０）
前記支援情報は、以下の情報：失敗原因、または前記第１の構成で使用されることができない構成部分のうちの少なくとも１つを備え、または
前記支援情報は、前記第２のＲＡＴの無線チャネル上の前記ＵＥの測定結果と、前記以下の情報：前記失敗原因、または第２の構成で使用されることができない構成部分のうちの少なくとも１つとを備える、項目１９に記載の方法。
（項目２１）
ユーザ機器（ＵＥ）の中で構成される、無線リソース構成装置であって、
第１の無線アクセス技術（ＲＡＴ）の第１のシグナリング無線ベアラ（ＳＲＢ）から無線リソース構成のメッセージを受信するように構成される、受信モジュールであって、前記メッセージは、第１の構成の情報を搬送し、前記第１の構成は、前記第１のＲＡＴの無線リソースの構成である、受信モジュールと、
前記第１の構成の情報に従って、前記第１のＲＡＴの無線リソースを構成するように構成される、構成モジュールと、
前記第１のＲＡＴの無線リソースの構成が失敗すると判定することに応答して、前記無線リソース構成の応答メッセージを送信し、前記第１のＲＡＴの無線リソース構成が失敗することを示すように構成される、応答モジュールと
を備える、装置。
（項目２２）
前記第１のＳＲＢは、前記ＵＥと、前記第１のＲＡＴを使用する第１のネットワーク要素との間に確立され、
前記第１の構成は、前記ＵＥのために前記第１のネットワーク要素によって実施される構成であり、
前記第１のネットワーク要素および第２のＲＡＴを使用する第２のネットワーク要素は、同時に、無線インターフェースを経由して前記ＵＥのための通信サービスを提供し、
前記第２のネットワーク要素は、前記ＵＥとコアネットワークとの間に唯一の制御プレーンインターフェースを確立し、
前記第２のＲＡＴの第２のＳＲＢは、前記第２のネットワーク要素と前記ＵＥの間に確立され、
前記第１のＲＡＴは、前記第２のＲＡＴと異なる、項目２１に記載の装置。
（項目２３）
前記応答メッセージは、前記第１のＲＡＴの無線リソース構成の失敗についてのレポート情報を搬送し、前記レポート情報は、以下の情報：
前記第１のＲＡＴの無線リソースを再構成する際にネットワーク側を支援するための支援情報、または
前記第１のＲＡＴの無線リソース構成の失敗についてのインジケーション情報
のうちの少なくとも１つを備え、
前記支援情報は、以下の情報：失敗原因、または前記第１の構成で使用されることができない構成部分のうちの少なくとも１つを備え、または
前記支援情報は、前記第１のＲＡＴの無線チャネル上の前記ＵＥの測定結果と、前記以下の情報：前記失敗原因、または前記第１の構成で使用されることができない前記構成部分のうちの少なくとも１つとを備える、項目２２に記載の装置。
（項目２４）
前記応答モジュールはさらに、前記第２のＲＡＴに対応する抽象構文記法（ＡＳＮ．１）を使用することによって、前記レポート情報を符号化し、前記第２のＳＲＢを通して前記応答メッセージを送信し、処理のために前記レポート情報を前記第２のネットワーク要素に報告するように構成され、または
前記応答モジュールはさらに、前記第１のＲＡＴに対応するＡＳＮ．１を使用することによって、前記レポート情報を符号化し、前記第２のＳＲＢを通して前記応答メッセージを送信し、前記応答メッセージのコンテナの中で前記レポート情報を搬送し、前記第２のネットワーク要素を通して、処理のために前記コンテナを前記第１のネットワーク要素に転送するように構成される、項目２３に記載の装置。
（項目２５）
メモリと、プロセッサとを備える、ユーザ機器（ＵＥ）であって、
前記メモリは、プログラムコードを記憶するように構成され、
前記プロセッサは、以下の処理：
第１の無線アクセス技術（ＲＡＴ）の第１のシグナリング無線ベアラ（ＳＲＢ）から無線リソース構成のメッセージを受信することであって、前記メッセージは、第１の構成の情報を搬送し、前記第１の構成は、前記第１のＲＡＴの無線リソースの構成である、ことと、
前記第１の構成の情報に従って実施される前記第１のＲＡＴの無線リソースの構成が失敗すると判定することに応答して、前記無線リソース構成の応答メッセージを送信し、前記第１のＲＡＴの無線リソース構成が失敗することを示すことと
を実施するために、前記プログラムコードを読み取るように構成される、ＵＥ。
（項目２６）
前記応答メッセージは、前記第１のＲＡＴの無線リソース構成の失敗についてのレポート情報を搬送し、前記レポート情報は、以下の情報：
前記第１のＲＡＴの無線リソースを再構成する際にネットワーク側を支援するための支援情報、または
前記第１のＲＡＴの無線リソース構成の失敗についてのインジケーション情報
のうちの少なくとも１つを備え、
前記支援情報は、以下の情報：失敗原因、または前記第１の構成で使用されることができない構成部分のうちの少なくとも１つを備え、または
前記支援情報は、前記第１のＲＡＴの無線チャネル上の前記ＵＥの測定結果と、前記以下の情報：前記失敗原因、または前記第１の構成で使用されることができない前記構成部分のうちの少なくとも１つとを備える、項目２５に記載のＵＥ。
（項目２７）
前記プロセッサはさらに、前記第２のＲＡＴに対応する抽象構文記法（ＡＳＮ．１）を使用することによって、前記レポート情報を符号化し、前記第２のＲＡＴの第２のＳＲＢを通して前記応答メッセージを送信し、処理のために前記レポート情報を第２のネットワーク要素に報告するように構成され、または
前記プロセッサはさらに、前記第１のＲＡＴに対応するＡＳＮ．１を使用することによって、前記レポート情報を符号化し、前記第２のＳＲＢを通して前記応答メッセージを送信し、前記応答メッセージのコンテナの中で前記レポート情報を搬送し、前記第２のネットワーク要素を通して、処理のために前記コンテナを前記第１のネットワーク要素に転送するように構成され、
前記第１のＲＡＴは、前記第２のＲＡＴと異なり、前記第１のネットワーク要素は、前記第１のＲＡＴを使用し、前記第２のネットワーク要素は、前記第２のＲＡＴを使用する、項目２６に記載のＵＥ。
（項目２８）
第１の無線アクセス技術（ＲＡＴ）を使用する第１のネットワーク要素の中で構成される、無線リソース構成装置であって、
前記第１のＲＡＴのシグナリング無線ベアラ（ＳＲＢ）を通して、ユーザ機器（ＵＥ）によって返される無線リソース構成の応答メッセージを受信および処理するように構成される、処理モジュールを備え、
前記応答メッセージは、第２のＲＡＴの無線リソース構成の失敗についてのレポート情報を搬送し、
前記第１のネットワーク要素および前記第２のＲＡＴを使用する第２のネットワーク要素は、同時に、無線インターフェースを経由して前記ＵＥのための通信サービスを提供し、前記第１のネットワーク要素は、前記ＵＥとコアネットワークとの間に唯一の制御プレーンインターフェースを確立し、前記第１のＲＡＴは、前記第２のＲＡＴと異なる、装置。
（項目２９）
前記レポート情報は、前記第１のＲＡＴに対応する抽象構文記法．１（ＡＳＮ．１）を使用することによってコード化され、前記処理モジュールが前記ＵＥによって返される前記無線リソース構成の応答メッセージを受信および処理することは、前記レポート情報を復号し、前記レポート情報に従って前記無線リソース管理決定を実施することを含み、または
前記レポート情報は、前記第２のＲＡＴに対応するＡＳＮ．１を使用することによってコード化され、前記応答メッセージのコンテナの中で搬送され、前記処理モジュールが前記ＵＥによって返される前記無線リソース構成の応答メッセージを受信および処理することは、前記応答メッセージの中の前記コンテナを前記第２のネットワーク要素に転送し、前記第２のネットワーク要素が前記コンテナの中の前記レポート情報を復号した後、前記レポート情報に従って前記無線リソース管理決定を実施することを含む、項目２８に記載の装置。
（項目３０）
前記無線リソース管理決定の結果は、前記第２のネットワーク要素を解放すること、または前記第２のネットワーク要素を切り替えること、または前記第２のネットワーク要素によって前記第２のＲＡＴの無線リソースを再構成することであり、
前記装置はさらに、通知モジュールを備え、前記通知モジュールは、前記無線リソース管理決定の結果が前記第２のネットワーク要素を解放することであると判定することに応答して、前記ＳＲＢを通して、前記第２のＲＡＴの無線リソースを解放するように前記ＵＥに通知し、前記無線リソース管理決定の結果が前記第２のネットワーク要素を切り替えることであると判定することに応答して、前記第２のネットワーク要素が切り替えられた後に、新しい第２のネットワーク要素によって送信される新しい第２のＲＡＴの無線リソース再構成の第１の再構成情報を受信し、前記ＳＲＢを通して前記第１の再構成情報を前記ＵＥに送信し、前記無線リソース管理決定の結果が前記第２のネットワーク要素によって前記第２のＲＡＴの無線リソースを再構成することであると判定することに応答して、前記第２のネットワーク要素によって送信される前記第２のＲＡＴの無線リソース再構成の第２の再構成情報を受信し、前記ＳＲＢを通して前記第２の再構成情報を前記ＵＥに送信するように構成される、項目２９に記載の装置。
（項目３１）
メモリと、プロセッサとを備える、ネットワーク要素であって、
前記メモリは、プログラムコードを記憶するように構成され、
前記プロセッサは、以下の処理：第１の無線アクセス技術（ＲＡＴ）のシグナリング無線ベアラ（ＳＲＢ）を通して、ユーザ機器（ＵＥ）によって返される無線リソース構成の応答メッセージを受信し、かつ処理を実施することを実施するために、前記プログラムコードを読み取るように構成され、
前記応答メッセージは、第２のＲＡＴの無線リソース構成の失敗についてのレポート情報を搬送し、
前記第１のＲＡＴを使用する前記ネットワーク要素および前記第２のＲＡＴを使用する第１のネットワーク要素は、同時に、無線インターフェースを経由して前記ＵＥのための通信サービスを提供し、前記ネットワーク要素は、前記ＵＥとコアネットワークとの間に唯一の制御プレーンインターフェースを確立し、前記第１のＲＡＴは、前記第２のＲＡＴと異なる、ネットワーク要素。
（項目３２）
前記レポート情報は、前記第１のＲＡＴに対応する抽象構文記法（ＡＳＮ．１）を使用することによってコード化され、前記プロセッサが前記ＵＥによって返される前記無線リソース構成の応答メッセージを受信および処理することは、前記レポート情報を復号し、前記レポート情報に従って無線リソース管理決定を実施することを含み、または
前記レポート情報は、前記第２のＲＡＴに対応するＡＳＮ．１を使用することによってコード化され、前記応答メッセージのコンテナの中で搬送され、前記プロセッサが前記ＵＥによって返される前記無線リソース構成の応答メッセージを受信および処理することは、前記コンテナを前記第１のネットワーク要素に転送し、前記第１のネットワーク要素が前記コンテナの中の前記レポート情報を復号した後、前記レポート情報に従って前記無線リソース管理決定を実施することを含む、項目３１に記載のネットワーク要素。
（項目３３）
第１の無線アクセス技術（ＲＡＴ）を使用する第１のネットワーク要素の中で構成される、無線リソース構成装置であって、
前記第１のネットワーク要素とユーザ機器（ＵＥ）との間に確立される前記第１のＲＡＴのシグナリング無線ベアラ（ＳＲＢ）を通して、無線リソース構成のメッセージを前記ＵＥに送信するように構成される、送信モジュールであって、前記メッセージは、第１の構成の情報を搬送し、前記第１の構成は、前記ＵＥのために前記第１のネットワーク要素によって実施される前記第１のＲＡＴの無線リソースの構成である、送信モジュールと、
前記ＵＥから前記第１のＲＡＴの無線リソース構成の失敗についてのレポート情報を受信および処理し、または第２のネットワーク要素によって前記レポート情報に従って実施される無線リソース管理決定の結果を受信および処理するように構成される、処理モジュールと
を備え、
前記第１のネットワーク要素および第２のＲＡＴを使用する前記第２のネットワーク要素は、同時に、無線インターフェースを経由して前記ＵＥのための通信サービスを提供し、前記第２のネットワーク要素は、前記ＵＥとコアネットワークとの間に唯一の制御プレーンインターフェースを確立する、装置。
（項目３４）
前記処理モジュールが、前記ＵＥから前記第１のＲＡＴの無線リソース構成の失敗についての前記レポート情報を受信および処理することは、
前記第２のネットワーク要素によって転送される前記レポート情報を受信し、前記レポート情報を復号し、次いで、前記レポート情報に従って無線リソース管理決定を実施することを含み、
前記レポート情報は、前記第１のＲＡＴに対応する抽象構文記法．１（ＡＳＮ．１）を使用することによってコード化される、項目３３に記載の装置。
（項目３５）
前記無線リソース管理決定の結果は、前記第１のネットワーク要素を解放すること、または前記第１のネットワーク要素を切り替えること、または前記第１のネットワーク要素によって前記第１のＲＡＴの無線リソースを再構成することであり、
前記装置はさらに、再構成モジュールを備え、前記再構成モジュールは、前記無線リソース管理決定の結果が前記第１のネットワーク要素によって前記第１のＲＡＴの無線リソースを再構成することであると判定することに応答して、前記第２のネットワーク要素を通して、前記第１のＲＡＴの無線リソース再構成の情報を前記ＵＥに転送するように構成される、項目３４に記載の装置。
（項目３６）
メモリと、プロセッサとを備える、ネットワーク要素であって、
前記メモリは、プログラムコードを記憶するように構成され、
前記プロセッサは、以下の処理：
前記ネットワーク要素とユーザ機器（ＵＥ）との間に確立される第１の無線アクセス技術（ＲＡＴ）のシグナリング無線ベアラ（ＳＲＢ）を通して、無線リソース構成のメッセージを前記ＵＥに送信することであって、前記メッセージは、第１の構成の情報を搬送し、前記第１の構成は、前記ＵＥのために前記ネットワーク要素によって実施される前記第１のＲＡＴの無線リソースの構成である、ことと、
前記ＵＥから前記第１のＲＡＴの無線リソース構成の失敗についてのレポート情報を受信および処理すること、または第１のネットワーク要素によって前記レポート情報に従って実施される無線リソース管理決定の結果を受信および処理し、かつ対応する処理を実施することと
を実施するために、前記プログラムコードを読み取るように構成され、
前記第１のＲＡＴを使用する前記ネットワーク要素および第２のＲＡＴを使用する前記第１のネットワーク要素は、同時に、無線インターフェースを経由して前記ＵＥのための通信サービスを提供し、前記第２のネットワーク要素は、前記ＵＥとコアネットワークとの間に唯一の制御プレーンインターフェースを確立する、ネットワーク要素。
（項目３７）
前記プロセッサが、前記ＵＥから前記第１のＲＡＴの無線リソース構成の失敗についての前記レポート情報を受信および処理することは、
前記第１のネットワーク要素によって転送される前記レポート情報を受信し、前記レポート情報を復号し、次いで、前記レポート情報に従って無線リソース管理決定を実施することを含み、
前記レポート情報は、前記第１のＲＡＴに対応する抽象構文記法（ＡＳＮ．１）を使用することによってコード化される、項目３６に記載のネットワーク要素。
（項目３８）
項目１−２０のいずれか１項に記載の方法を実行するためのコンピュータ実行可能命令を記憶するように構成される、コンピュータ可読記憶媒体。
【図面の簡単な説明】
【００１５】
【図１】図１は、２つのネットワーク要素が、同時に、無線インターフェースを経由してＵＥのためのサービスを提供する、通信システムのネットワークアーキテクチャの概略図である。
【図２】図２は、いくつかの実施形態による、ＵＥ側における無線リソース構成方法のフローチャートである。
【図３Ａ】図３Ａは、いくつかの実施形態による、ＵＥにおける無線リソース構成装置のモジュールの略図である。
【図３Ｂ】図３Ｂは、いくつかの実施形態による、ＵＥの構造図である。
【図４】図４は、いくつかの実施形態による、ＵＥ側における無線リソース構成方法のフローチャートである。
【図５】図５は、いくつかの実施形態による、第１のネットワーク要素側における無線リソース構成方法のフローチャートである。
【図６Ａ】図６Ａは、いくつかの実施形態による、第１のネットワーク要素内の無線リソース構成装置のモジュールの略図である。
【図６Ｂ】図６Ｂは、いくつかの実施形態による、第１のネットワーク要素の構造図である。
【図７】図７は、いくつかの実施形態による、第２のネットワーク要素側における無線リソース構成方法のフローチャートである。
【図８Ａ】図８Ａは、いくつかの実施形態による、第２のネットワーク要素内の無線リソース構成装置のモジュールの略図である。
【図８Ｂ】図８Ｂは、いくつかの実施形態による、第２のネットワーク要素の構造図である。
【図９】図９は、いくつかの実施形態による、無線リソース構成のシグナリングフロー図である。
【図１０】図１０は、いくつかの実施形態による、無線リソース構成のシグナリングフロー図である。
【図１１】図１１は、いくつかの実施形態による、無線リソース構成のシグナリングフロー図である。
【図１２】図１２は、いくつかの実施形態による、無線リソース構成のシグナリングフロー図である。
【発明を実施するための形態】
【００１６】
（詳細な説明）
図１を参照すると、ＬＴＥ  ｅＮＢとＮＲ  ｇＮＢとの間の緊密な結合および相互運用の様式でＵＥのための通信サービスを提供するためのシステムアーキテクチャでは、２つのネットワーク要素が、同時に、無線インターフェースを経由してＵＥのための通信サービスを提供する。以降では、ＵＥとコアネットワークとの間に唯一の制御プレーンインターフェースを確立する、サービングネットワーク要素は、第１のネットワーク要素と称され、ＵＥのための付加的無線リソースを提供する、サービングネットワーク要素は、第２のネットワーク要素と称され、第１のネットワーク要素はまた、ＵＥとコアネットワークとの間にユーザプレーン（ＵＰ）インターフェースも確立し、第２のネットワーク要素とコアネットワークとの間のＵＰインターフェースは、随意である。
【００１７】
無線インターフェースの観点から、第１のネットワーク要素は、ＬＴＥ  ＲＡＴ等の第１のＲＡＴを使用し、第２のネットワーク要素は、ＮＲ  ＲＡＴ等の第２のＲＡＴを使用する。いくつかの実施例では、ＵＰデータ伝送は、第１のネットワーク要素とＵＥとの間で、および第２のネットワーク要素とＵＥとの間で実施される。第１のＲＡＴのＳＲＢが、無線リソース制御（ＲＲＣ）シグナリング等の制御プレーンシグナリングを伝送するように、第１のネットワーク要素とＵＥとの間に確立される一方で、第２のネットワーク要素とＵＥとの間に確立される第２のＲＡＴのＳＲＢは、随意である。以降では、第１のＲＡＴのＳＲＢはまた、第１のＳＲＢとも称され、第２のＲＡＴのＳＲＢは、第２のＳＲＢと称される。
【００１８】
無線リソース管理（ＲＲＭ）の視点から、第１のネットワーク要素は、第１の構成と称される、ＵＥのための第１のＲＡＴの無線リソースの構成に関与し、第２のネットワーク要素は、第２の構成と称される、ＵＥのための第２のＲＡＴの無線リソースの構成に関与する。第１の構成および第２の構成は、ある範囲を満たしながら、相互から独立している（例えば、第１の構成および第２の構成の合計は、ＵＥの無線能力を超えることができない）。
【００１９】
関連技術分野では、ＲＲＣ＿Ｃｏｎｎｅｃｔｅｄ状態時のＵＥが、サービングネットワーク要素によって発行される無線リソース構成を受信することができない（すなわち、構成が失敗する）とき、ＵＥは、ＲＲＣ接続再確立プロシージャ等の再開プロシージャをトリガする。しかしながら、これは、ユーザプレーンのデータ伝送の中断を引き起こし、ＵＥがプロシージャを実行すること、および制御プレーンのシグナリング伝送負荷の複雑性を増加させる。再開プロシージャが正常に実行されたとしても、ある時間が、無線インターフェースを経由してデータ伝送を再開するために要求される。したがって、緊密な結合および相互運用システム等の図１に示されるシステム内で無線リソース構成失敗を取り扱うことによって、ＵＥのユーザ体験を向上させる方法が、問題である。
【００２０】
いくつかの実施形態は、ＵＥ側の無線リソース構成に関する。
【００２１】
ベースのシステムアーキテクチャが、図１およびその説明で参照される。いくつかの実施形態では、第１のネットワーク要素および第２のネットワーク要素は、同時に、緊密な結合および相互運用の様式で無線インターフェースを経由してＵＥのための通信サービスを提供し、第１のネットワーク要素は、ＵＥとコアネットワークとの間に唯一の制御プレーンインターフェースを確立し、第１のＲＡＴのＳＲＢは、第１のネットワーク要素とＵＥとの間に確立され、第２のＲＡＴのＳＲＢは、第２のネットワーク要素とＵＥとの間に確立されない。いくつかの実施形態では、第１のＲＡＴが第２のＲＡＴと異なる限り、第１のネットワーク要素によって使用される第１のＲＡＴは、ＬＴＥ  ＲＡＴおよびＮＲ  ＲＡＴのうちの一方であり、第２のネットワーク要素によって使用される第２のＲＡＴは、ＬＴＥ  ＲＡＴおよびＮＲ  ＲＡＴのうちの他方である。いくつかの実施形態では、第１のネットワーク要素および第２のネットワーク要素は、それぞれ、ｅＮＢおよびｇＮＢである。
【００２２】
実施形態は、無線リソース構成方法を提供する。図２に示されるように、本方法は、下記に説明されるステップを含む。
【００２３】
ステップ１１０では、ＵＥは、第１のＲＡＴのＳＲＢから無線リソース構成の第１のメッセージを受信する。第１のメッセージは、第２の構成の情報を搬送し、第２の構成は、第２のＲＡＴの無線リソースの構成である。
【００２４】
いくつかの実施形態では、無線リソース構成の第１のメッセージは、無線リソース構成を実施するためのＲＲＣ接続再構成メッセージ等の任意のメッセージである。
【００２５】
方法の実施形態では、第１のＲＡＴのＳＲＢは、ＵＥと第１のＲＡＴの第１のネットワーク要素との間に確立されるＳＲＢであり、第２の構成は、ＵＥのために第２のＲＡＴの第２のネットワーク要素によって実施される構成である。
【００２６】
いくつかの実施形態では、無線リソース構成の第１のメッセージはさらに、第１の構成の情報を搬送する。第１の構成は、ＵＥのために第１のネットワーク要素によって実施される第１のＲＡＴの無線リソースの構成である。
【００２７】
いくつかの実施形態では、無線リソース構成方法はさらに、ＵＥが、第１の構成の情報に従って第１のＲＡＴの無線リソースを正常に構成するとき、ＵＥによって送信される無線リソース構成の応答メッセージが、第１のＲＡＴの無線リソース構成が成功したことを示すインジケーション情報を搬送することを含む。いくつかの実施形態では、第１のＲＡＴの無線リソース構成が成功したことを示すインジケーション情報、および第２のＲＡＴの無線リソース構成が失敗することを示すレポート情報は、両方ともＲＲＣシグナリングの中で搬送される。いくつかの実施形態では、第１のＲＡＴの無線リソース構成が成功したことを示すインジケーション情報、および第２のＲＡＴの無線リソース構成が失敗することを示すレポート情報は、それぞれ、異なるＲＲＣシグナリングの中で搬送される。
【００２８】
ステップ１２０では、ＵＥが第２の構成の情報に従って第２のＲＡＴの無線リソースを正常に構成することができないとき、ＵＥは、無線リソース構成の応答メッセージを送信し、第２のＲＡＴの無線リソース構成が失敗することを示す。
【００２９】
いくつかの実施形態では、上記に説明される無線リソース構成の応答メッセージは、無線リソース構成の受信されたメッセージに応答した、ＲＲＣ接続再構成完了メッセージ、二次セルグループ（ＳＣＧ）失敗情報のためのメッセージ、または他のＲＲＣメッセージ等の任意のメッセージである。いくつかの実施形態では、他のＲＲＣメッセージは、第３世代パートナーシッププロジェクト（３ＧＰＰ）技術仕様書（ＴＳ）３８．３３１  Ｖ１５．０．０（２０１７−１２）の中のＵＥによって基地局に送信されるＲＲＣメッセージ（例えば、ＲＲＣ接続再開メッセージ）等のＵＥによって基地局に送信されるＲＲＣメッセージである。
【００３０】
いくつかの実施形態では、無線リソース構成の応答メッセージは、第２のＲＡＴの無線リソース構成の失敗についてのレポート情報を搬送する。レポート情報は、以下の情報：
第２のＲＡＴの無線リソースを再構成する際にネットワーク側を支援するための支援情報、または
第２のＲＡＴの無線リソース構成の失敗についてのインジケーション情報
のうちの少なくとも１つを含む。
【００３１】
いくつかの実施形態では、支援情報は、以下の情報：失敗原因、または第２の構成で使用されることができない構成部分のうちの少なくとも１つを含む。いくつかの実施形態では、支援情報は、第２のＲＡＴの無線チャネル上のＵＥの測定結果と、以下の情報：失敗原因、または第２の構成で使用されることができない構成部分のうちの少なくとも１つとを含む。
【００３２】
いくつかの実施形態では、第２のＲＡＴの無線リソースを構成するＵＥの失敗のインジケーションは、明示的インジケーションである。いくつかの実施形態では、第２のＲＡＴの無線リソースを構成するＵＥの失敗のインジケーションは、暗示的インジケーションである。第２のＲＡＴの無線リソースを構成するＵＥの失敗のインジケーションが、明示的インジケーションであるとき、応答メッセージは、第２のＲＡＴの無線リソース構成が失敗することを示すインジケーション情報を含む。第２のＲＡＴの無線リソースを構成するＵＥの失敗のインジケーションが、暗示的インジケーションであるとき、応答メッセージは、第２のＲＡＴの無線リソース構成が失敗することを示すインジケーション情報を含まない。ネットワーク側におけるネットワーク要素は、支援情報（敗原因、または第２の構成で使用されることができない構成部分のうちの少なくとも１つ等）に従って、ＵＥが第２のＲＡＴの無線リソースを構成できないことを判定し、または第２のＲＡＴの無線リソース構成が成功することを示すインジケーション情報が受信されないときに、第２のＲＡＴの無線リソース構成が失敗すると見なされることが合意される。
【００３３】
いくつかの実施形態では、第２のＲＡＴの無線リソース構成の失敗についてのレポート情報は、第１のＲＡＴに対応するＡＳＮ．１を使用することによってコード化される。ＵＥは、第１のＲＡＴのＳＲＢを通して無線リソース構成の応答メッセージを送信し、処理のためにレポート情報を第１のネットワーク要素に報告する。他の実施形態では、第２のＲＡＴの無線リソース構成の失敗についてのレポート情報は、第２のＲＡＴに対応するＡＳＮ．１を使用することによってコード化される。ＵＥは、第１のＳＲＢを通して無線リソース構成の応答メッセージを送信し、応答メッセージのコンテナの中でレポート情報を搬送し、第１のネットワーク要素を通して、処理のためにコンテナを第２のネットワーク要素に転送する。いくつかの実施形態では、第１のＲＡＴに対応するＡＳＮ．１および第２のＲＡＴに対応するＡＳＮ．１は、異なる。第２のＲＡＴの無線リソース構成が失敗した後に、無線リソース管理決定が第１のネットワーク要素によって実施されるとき、第１のＲＡＴに対応するＡＳＮ．１は、レポート情報をコード化するために使用される。第２のＲＡＴの無線リソース構成が失敗した後に、無線リソース管理決定が第２のネットワーク要素によって実施されるとき、第２のＲＡＴに対応するＡＳＮ．１は、レポート情報をコード化するために使用され、コード化されたレポート情報は、コンテナの中で搬送され、第１の要素は、いかなる処理も伴わずにコンテナを第２のネットワーク要素に直接転送する。
【００３４】
いくつかの実施形態は、ＵＥの中で構成される無線リソース構成装置を提供する。図３Ａに示されるように、無線リソース構成モジュールは、第１の受信モジュール１０と、第１の構成モジュール２０と、応答モジュール３０とを含む。
【００３５】
第１の受信モジュール１０は、第１のＲＡＴのＳＲＢから無線リソース構成のメッセージを受信するように構成される。メッセージは、第２の構成の情報を搬送し、第２の構成は、第２のＲＡＴの無線リソースの構成であり、第１のＲＡＴは、第２のＲＡＴと異なる。
【００３６】
第１の構成モジュール２０は、第２の構成の情報に従って、第２のＲＡＴの無線リソースを構成するように構成される。
【００３７】
応答モジュール３０は、第２のＲＡＴの無線リソースの構成が実施されるときに、無線リソース構成の応答メッセージを送信し、第２のＲＡＴの無線リソース構成が失敗することを示すように構成される。
【００３８】
上記の実施形態では、第１のＲＡＴのＳＲＢは、ＵＥと第１のＲＡＴを使用する第１のネットワーク要素との間に確立されるＳＲＢであり、第２の構成は、ＵＥのために第２のＲＡＴを使用する第２のネットワーク要素によって実施される構成である。第１のネットワーク要素および第２のネットワーク要素は、同時に、無線インターフェースを経由してＵＥのための通信サービスを提供し、第１のネットワーク要素は、ＵＥとコアネットワークとの間に唯一の制御プレーンインターフェースを確立する。
【００３９】
いくつかの実施形態では、第１の応答モジュールによって送信される無線リソース構成の応答メッセージは、第２のＲＡＴの無線リソース構成の失敗についてのレポート情報を搬送する。レポート情報は、以下の情報：第２のＲＡＴの無線リソースを再構成する際にネットワーク側を支援するための支援情報、または第２のＲＡＴの無線リソース構成の失敗についてのインジケーション情報のうちの少なくとも１つを含む。
【００４０】
いくつかの実施形態では、支援情報は、以下の情報：失敗原因、または第２の構成で使用されることができない構成部分のうちの少なくとも１つを含む。いくつかの実施形態では、支援情報は、第２のＲＡＴの無線チャネル上のＵＥの測定結果と、以下の情報：失敗原因、または第２の構成で使用されることができない構成部分のうちの少なくとも１つとを含む。
【００４１】
いくつかの実施形態では、第１の応答モジュールは、第１のＲＡＴに対応するＡＳＮ．１を使用することによって、レポート情報をコード化し、第１のＲＡＴのＳＲＢを通して無線リソース構成の応答メッセージを送信し、処理のためにレポート情報を第１のネットワーク要素に報告する。他の実施形態では、第１の応答モジュールは、第２のＲＡＴに対応するＡＳＮ．１を使用することによって、レポート情報をコード化し、第１のＲＡＴのＳＲＢを通して無線リソース構成の応答メッセージを送信し、応答メッセージのコンテナの中でレポート情報を搬送し、第１のネットワーク要素を通して、処理のためにコンテナを第２のネットワーク要素に転送する。
【００４２】
いくつかの実施形態は、ＵＥを提供する。図３Ｂに示されるように、ＵＥは、第１のメモリ１１と、第１のプロセッサ１２とを含む。
【００４３】
第１のメモリは、プログラムコードを記憶するように構成される。
【００４４】
第１のプロセッサは、以下の処理を実施するためのプログラムコードを読み取るように構成される。
【００４５】
無線リソース構成の第１のメッセージは、第１のＲＡＴのＳＲＢから受信される。第１のメッセージは、第２の構成の情報を搬送し、第２の構成は、第２のＲＡＴの無線リソースの構成であり、第１のＲＡＴは、第２のＲＡＴと異なる。
【００４６】
第１の構成の情報に従って実施される第１のＲＡＴの無線リソースの構成が失敗するとき、無線リソース構成の応答メッセージが、第１のＲＡＴの無線リソースの構成が失敗することを示すように送信される。
【００４７】
いくつかの実施形態では、第１のプロセッサによって送信される無線リソース構成の応答メッセージは、第２のＲＡＴの無線リソース構成の失敗についてのレポート情報を搬送する。レポート情報は、以下の情報：第２のＲＡＴの無線リソースを再構成する際にネットワーク側を支援するための支援情報、または第２のＲＡＴの無線リソース構成の失敗についてのインジケーション情報のうちの少なくとも１つを含む。
【００４８】
いくつかの実施形態では、支援情報は、以下の情報：失敗原因、または第２の構成で使用されることができない構成部分のうちの少なくとも１つを含む。いくつかの実施形態では、支援情報は、第２のＲＡＴの無線チャネル上のＵＥの測定結果と、以下の情報：失敗原因、または第２の構成で使用されることができない構成部分のうちの少なくとも１つとを含む。
【００４９】
いくつかの実施形態では、第１のプロセッサは、第１のＲＡＴに対応するＡＳＮ．１を使用することによって、レポート情報をコード化し、第１のＲＡＴのＳＲＢを通して無線リソース構成の応答メッセージを送信し、処理のためにレポート情報を第１のネットワーク要素に報告する。他の実施形態では、プロセッサは、第２のＲＡＴに対応するＡＳＮ．１を使用することによって、レポート情報をコード化し、第１のＲＡＴのＳＲＢを通して無線リソース構成の応答メッセージを送信し、応答メッセージのコンテナの中でレポート情報を搬送し、第１のネットワーク要素を通して、処理のためにコンテナを第２のネットワーク要素に転送する。
【００５０】
上記のプロセッサは、上記に説明される方法の実施形態において任意のプロセスを実施してもよい。
【００５１】
上記の実施形態の上記のソリューションを用いると、ＵＥが第２のＲＡＴの無線リソースを構成することができないとき、失敗は、時間内に報告され、再開プロシージャは、トリガされず、第１のＲＡＴの無線リソースの構成は、影響を受けず、それによって、ユーザプレーンのデータ伝送の中断を回避し、ＵＥがプロシージャを実行することの複雑性を低減させ、制御プレーンのシグナリング伝送負荷を低減させ、システム性能を向上させる。
【００５２】
いくつかの実施形態は、ＵＥ側における無線リソース構成に関する。
【００５３】
これらの実施形態が基づくシステムアーキテクチャは、基本的に上記の実施形態におけるシステムアーキテクチャと同一である。差異は、第２のＲＡＴのＳＲＢが第２のネットワーク要素とＵＥとの間に確立され、ＵＥが第２のＲＡＴのＳＲＢを通して第２の構成の情報を受信することである。
【００５４】
いくつかの実施形態は、無線リソース構成方法を提供する。図４に示されるように、本方法は、下記に説明されるステップを含む。
【００５５】
ステップ２１０では、ＵＥが、第２のＲＡＴのＳＲＢから無線リソース構成の第２のメッセージを受信する。第２のメッセージは、第２の構成の情報を搬送し、第２の構成は、第２のＲＡＴの無線リソースの構成である。
【００５６】
方法の実施形態では、第２の構成は、ＵＥのために第２のネットワーク要素によって実施される構成であり、第２のネットワーク要素および第１のＲＡＴを使用する第１のネットワーク要素は、同時に、無線インターフェースを経由してＵＥのための通信サービスを提供し、第１のネットワーク要素は、ＵＥとコアネットワークとの間に唯一の制御プレーンインターフェースを確立し、第１のＲＡＴのＳＲＢは、第１のネットワーク要素とＵＥの間に確立される。
【００５７】
ステップ２２０では、ＵＥが第２の構成の情報に従って第２のＲＡＴの無線リソースを構成することができないとき、ＵＥは、無線リソース構成の応答メッセージを送信し、第２のＲＡＴの無線リソース構成が失敗することを示す。
【００５８】
いくつかの実施形態では、無線リソース構成の応答メッセージの中で搬送される第２のＲＡＴの無線リソース構成の失敗についてのレポート情報は、上記の実施形態におけるレポート情報と同一である。
【００５９】
いくつかの実施形態では、レポート情報は、以下の情報：第２のＲＡＴの無線リソースを再構成する際にネットワーク側を支援するための支援情報、または第２のＲＡＴの無線リソース構成の失敗についてのインジケーション情報のうちの少なくとも１つを含む。
【００６０】
いくつかの実施形態では、支援情報は、以下の情報：失敗原因、または第２の構成で使用されることができない構成部分のうちの少なくとも１つを含む。
【００６１】
いくつかの実施形態では、支援情報は、第２のＲＡＴの無線チャネル上のＵＥの測定結果と、以下の情報：失敗原因、または第２の構成で使用されることができない構成部分のうちの少なくとも１つとを含む。
【００６２】
いくつかの実施形態では、第２のＲＡＴの無線リソース構成が失敗した後、ＵＥが、レポート情報を第１のネットワーク要素に送信し、レポート情報についての処理決定が、第１のネットワーク要素によって行われる。例えば、第２のＲＡＴの無線リソース構成の失敗についてのレポート情報は、第１のＲＡＴに対応するＡＳＮ．１を使用することによってコード化される。ＵＥは、第１のＲＡＴのＳＲＢを通して無線リソース構成の応答メッセージを送信し、処理のためにレポート情報を第１のネットワーク要素に報告する。
【００６３】
いくつかの実施形態では、第２のＲＡＴの無線リソース構成が失敗した後、ＵＥが、レポート情報を第２のネットワーク要素に送信し、レポート情報についての処理決定が、第２のネットワーク要素によって行われる。本時点で、２つの異なる実装モード：モードＡおよびモードＢが存在する。
【００６４】
実装モードＡでは、第２のＲＡＴの無線リソース構成の失敗についてのレポート情報は、第２のＲＡＴに対応するＡＳＮ．１を使用することによってコード化される。ＵＥは、第１のＲＡＴのＳＲＢを通して無線リソース構成の応答メッセージを送信し、応答メッセージのコンテナの中でレポート情報を搬送し、第１のネットワーク要素を通して、処理のためにコンテナを第２のネットワーク要素に転送する。
【００６５】
実装モードＢでは、第２のＲＡＴの無線リソース構成の失敗についてのレポート情報は、第２のＲＡＴに対応するＡＳＮ．１を使用することによってコード化される。ＵＥは、第２のＲＡＴの共通制御チャネル（ＣＣＣＨ）を通して無線リソース構成の応答メッセージを送信し、処理のためにレポート情報を第２のネットワーク要素に報告する。
【００６６】
いくつかの実施形態では、第２のＲＡＴの無線リソース構成が失敗するとき、ＵＥと第２のネットワーク要素との間に確立される第２のＲＡＴのＳＲＢは、使用されることができず、第２のＲＡＴのＳＲＢは、専用制御チャネル（ＤＣＣＨ）上で生じる。ＵＥは、次いで、ＵＥと第２のネットワーク要素との間のＣＣＣＨを通して、応答メッセージを第２のネットワーク要素に送信する。
【００６７】
いくつかの実施形態は、ＵＥの中で構成される無線リソース構成装置を提供する。図３を参照すると、無線リソース構成モジュールは、第１の受信モジュール１０と、第１の構成モジュール２０と、応答モジュール３０とを含む。
【００６８】
第１の受信モジュール１０は、第２のＲＡＴのＳＲＢから無線リソース構成の第２のメッセージを受信するように構成される。第２のメッセージは、第２の構成の情報を搬送し、第２の構成は、第２のＲＡＴの無線リソースの構成であり、第１のＲＡＴは、第２のＲＡＴと異なる。
【００６９】
第１の構成モジュール２０は、第２の構成の情報に従って、第２のＲＡＴの無線リソースを構成するように構成される。
【００７０】
応答モジュール３０は、第２のＲＡＴの無線リソースの構成が実施されるときに、無線リソース構成の応答メッセージを送信し、第２のＲＡＴの無線リソース構成が失敗することを示すように構成される。
【００７１】
上記の実施形態では、第２のＲＡＴのＳＲＢは、ＵＥと第２のＲＡＴを使用する第２のネットワーク要素との間に確立されるＳＲＢであり、第２の構成は、ＵＥのために第２のネットワーク要素によって実施される構成である。第２のネットワーク要素と第１のＲＡＴを使用する第１のネットワーク要素とは、同時に、無線インターフェースを経由してＵＥのための通信サービスを提供し、第１のネットワーク要素は、ＵＥとコアネットワークとの間に唯一の制御プレーンインターフェースを確立し、第１のＲＡＴのＳＲＢは、第１のネットワーク要素とＵＥとの間に確立される。
【００７２】
いくつかの実施形態では、応答モジュール３０によって送信される無線リソース構成の応答メッセージは、第２のＲＡＴの無線リソース構成の失敗についてのレポート情報を搬送する。レポート情報は、以下の情報：第２のＲＡＴの無線リソースを再構成する際にネットワーク側を支援するための支援情報、または第２のＲＡＴの無線リソース構成の失敗についてのインジケーション情報のうちの少なくとも１つを含む。
【００７３】
いくつかの実施形態では、支援情報は、以下の情報：失敗原因、または第２の構成で使用されることができない構成部分のうちの少なくとも１つを含む。
【００７４】
いくつかの実施形態では、支援情報は、第２のＲＡＴの無線チャネル上のＵＥの測定結果と、以下の情報：失敗原因、または第２の構成で使用されることができない構成部分のうちの少なくとも１つとを含む。
【００７５】
いくつかの実施形態では、応答モジュール３０は、第１のＲＡＴに対応するＡＳＮ．１を使用することによって、レポート情報をコード化し、第１のＲＡＴのＳＲＢを通して無線リソース構成の応答メッセージを送信し、処理のためにレポート情報を第１のネットワーク要素に報告する。
【００７６】
他の実施形態では、応答モジュール３０は、第２のＲＡＴに対応するＡＳＮ．１を使用することによって、レポート情報をコード化し、第１のＲＡＴのＳＲＢを通して無線リソース構成の応答メッセージを送信し、応答メッセージのコンテナの中でレポート情報を搬送し、第１のネットワーク要素を通して、処理のためにコンテナを第２のネットワーク要素に転送する。
【００７７】
別の実施形態では、応答モジュール３０は、第２のＲＡＴに対応するＡＳＮ．１を使用することによって、レポート情報をコード化し、第２のＲＡＴのＣＣＣＨを通して無線リソース構成の応答メッセージを送信し、処理のためにレポート情報を第２のネットワーク要素に報告する。
【００７８】
いくつかの実施形態は、第１のメモリと、第１のプロセッサとを含む、ＵＥを提供する。
【００７９】
第１のメモリは、プログラムコードを記憶するように構成される。
【００８０】
第１のプロセッサは、以下の処理を実施するためのプログラムコードを読み取るように構成される。
【００８１】
無線リソース構成の第２のメッセージは、第２のＲＡＴのＳＲＢから受信される。第２のメッセージは、第２の構成の情報を搬送し、第２の構成は、第２のＲＡＴの無線リソースの構成であり、第１のＲＡＴは、第２のＲＡＴと異なる。
【００８２】
第２の構成の情報に従って実施される第２のＲＡＴの無線リソースの構成が失敗するとき、無線リソース構成の応答メッセージが、第２のＲＡＴの無線リソースの構成が失敗することを示すように送信される。
【００８３】
いくつかの実施形態では、第１のプロセッサによって送信される無線リソース構成の応答メッセージは、第２のＲＡＴの無線リソース構成の失敗についてのレポート情報を搬送する。レポート情報は、以下の情報：第２のＲＡＴの無線リソースを再構成する際にネットワーク側を支援するための支援情報、または第２のＲＡＴの無線リソース構成の失敗についてのインジケーション情報のうちの少なくとも１つを含む。
【００８４】
いくつかの実施形態では、支援情報は、以下の情報：失敗原因、または第２の構成で使用されることができない構成部分のうちの少なくとも１つを含む。
【００８５】
いくつかの実施形態では、支援情報は、第２のＲＡＴの無線チャネル上のＵＥの測定結果と、以下の情報：失敗原因、または第２の構成で使用されることができない構成部分のうちの少なくとも１つとを含む。
【００８６】
いくつかの実施形態では、第１のプロセッサは、第１のＲＡＴに対応するＡＳＮ．１を使用することによって、レポート情報をコード化し、第１のＲＡＴのＳＲＢを通して無線リソース構成の応答メッセージを送信し、処理のためにレポート情報を第１のネットワーク要素に報告する。
【００８７】
別の実施形態では、第１のプロセッサは、第２のＲＡＴに対応するＡＳＮ．１を使用することによって、レポート情報をコード化し、第１のＲＡＴのＳＲＢを通して無線リソース構成の応答メッセージを送信し、応答メッセージのコンテナの中でレポート情報を搬送し、第１のネットワーク要素を通して、処理のためにコンテナを第２のネットワーク要素に転送する。
【００８８】
別の実施形態では、第１のプロセッサは、第２のＲＡＴに対応するＡＳＮ．１を使用することによって、レポート情報をコード化し、第２のＲＡＴのＣＣＣＨを通して無線リソース構成の応答メッセージを送信し、処理のためにレポート情報を第２のネットワーク要素に報告する。
【００８９】
上記のプロセッサは、上記の実施形態の方法において任意の処理を実施してもよい。
【００９０】
上記の実施形態の上記のソリューションを用いると、ＵＥが第２のＲＡＴの無線リソースを構成することができないとき、失敗は、時間内に報告され、再開プロシージャは、トリガされず、第１のＲＡＴの無線リソースの構成は、影響を受けず、それによって、ユーザプレーンのデータ伝送の中断を回避し、ＵＥがプロシージャを実行することの複雑性を低減させ、制御プレーンのシグナリング伝送負荷を低減させ、システム性能を向上させる。
【００９１】
いくつかの実施形態は、第１のネットワーク要素側における無線リソース構成に関し、これらの実施形態が基づくシステムアーキテクチャは、上記の実施形態におけるシステムアーキテクチャと同一である。
【００９２】
これらの実施形態における無線リソース構成方法が、図５に示される。本方法は、下記に説明されるステップを含む。
【００９３】
ステップ３１０では、第１のＲＡＴを使用する第１のネットワーク要素が、第２のＲＡＴを使用する第２のネットワーク要素によって送信される第２の構成の情報を受信する。第１のＲＡＴは、第２のＲＡＴと異なる。
【００９４】
いくつかの実施形態では、第２の構成の情報は、ネットワーク要素の間のインターフェースを介して、第２のネットワーク要素によって第１のネットワーク要素に送信される。
【００９５】
ステップ３２０では、第１のネットワーク要素が、第１のＲＡＴのＳＲＢを通して、無線リソース構成のメッセージをＵＥに送信し、第１のＲＡＴのＳＲＢは、第１のネットワーク要素とＵＥとの間に確立される。メッセージは、第２の構成の情報を搬送する。
【００９６】
いくつかの実施形態では、第１のネットワーク要素が、第１のＲＡＴのＳＲＢを使用することによってメッセージをＵＥに送信するとき、第１のＲＡＴのＳＲＢは、マスタセルグループ（ＭＣＧ）のベアラタイプとして構成される。いくつかの実施形態では、第１のネットワーク要素が、第１のＲＡＴのＳＲＢを使用することによってメッセージをＵＥに送信するとき、第１のＲＡＴのＳＲＢは、ＭＣＧ分割のベアラタイプとして構成される。いくつかの実施形態では、第１のＲＡＴのＳＲＢがＭＣＧ分割のベアラタイプとして構成されるとき、第１のネットワーク要素は、第２のネットワーク要素とＵＥとの間に確立されるＳＲＢを、データを伝送するための第１のＲＡＴのＳＲＢの１つの分岐として受け取る。
【００９７】
いくつかの実施形態では、無線リソース構成のメッセージは、ＲＲＣシグナリングを採用し、メッセージはさらに、第１の構成の情報を含み、第１の構成は、ＵＥのために第１の要素によって実施される第１のＲＡＴの無線リソースの構成である。
【００９８】
ステップ３３０では、第１のネットワーク要素が、第１のＲＡＴのＳＲＢを通して、ＵＥによって返される無線リソース構成の応答メッセージを受信および処理する。無線リソース構成の応答メッセージは、第２のＲＡＴの無線リソース構成の失敗についてのレポート情報を搬送する。
【００９９】
第２の構成は、ＵＥのために第２のネットワーク要素によって実施される第２のＲＡＴの無線リソースの構成である。第１のネットワーク要素および第２のネットワーク要素は、同時に、無線インターフェースを経由してＵＥのための通信サービスを提供し、第１のネットワーク要素は、ＵＥとコアネットワークとの間に唯一の制御プレーンインターフェースを確立する。
【０１００】
いくつかの実施形態では、第２のＲＡＴの無線リソース構成の失敗についてのレポート情報は、以下の情報：第２のＲＡＴの無線リソース構成の失敗についてのインジケーション情報、または第２のＲＡＴの無線リソースを再構成する際にネットワーク側を支援するための支援情報のうちの少なくとも１つを含む。
【０１０１】
いくつかの実施形態では、支援情報は、以下の情報：失敗原因、または第２の構成で使用されることができない構成部分のうちの少なくとも１つを含む。
【０１０２】
いくつかの実施形態では、支援情報は、第２のＲＡＴの無線チャネル上のＵＥの測定結果と、以下の情報：失敗原因、または第２の構成で使用されることができない構成部分のうちの少なくとも１つとを含む。
【０１０３】
いくつかの実施形態では、無線リソース構成のメッセージは、第１の構成の情報を含み、ＵＥが第１のＲＡＴの無線リソースを正常に構成するとき、無線リソース構成の応答メッセージは、第１のＲＡＴの無線リソース構成が成功したことを示すインジケーション情報を搬送する。
【０１０４】
いくつかの実施形態では、レポート情報は、第１のＲＡＴに対応するＡＳＮ．１を使用することによってコード化される。第１のネットワーク要素がＵＥによって返される無線リソース構成の応答メッセージを受信および処理するステップは、第１のネットワーク要素が、レポート情報を復号し、レポート情報に従って無線リソース管理決定を実施することを含む。
【０１０５】
別の実施形態では、レポート情報は、第２のＲＡＴに対応するＡＳＮ．１を使用することによってコード化され、コード化されたレポート情報は、応答メッセージのコンテナの中で搬送される。第１のネットワーク要素がＵＥによって返される無線リソース構成の応答メッセージを受信および処理するステップは、第１のネットワーク要素が、応答メッセージの中のコンテナを第２のネットワーク要素に転送し、コンテナの中のレポート情報を復号した後、第２のネットワーク要素が、レポート情報に従って無線リソース管理決定を実施することを含む。
【０１０６】
いくつかの実施形態では、無線リソース管理決定の結果は、第２のネットワーク要素を解放すること、または第２のネットワーク要素を切り替えること、または第２のネットワーク要素によって第２のＲＡＴの無線リソースを再構成することである。第２のネットワーク要素の切替は、現在ＵＥにサービス提供している第２のネットワーク要素（ソースの第２のネットワーク要素）を、別の新しい第２のネットワーク要素（切り替えられた第２のネットワーク要素とも称される、標的の第２のネットワーク要素）に切り替えることを指す。
【０１０７】
いくつかの実施形態では、第１のネットワーク要素がレポート情報に従って無線リソース管理決定を実施するとき、支援情報が測定結果を含まないとき、決定は、最後にＵＥから第１のネットワーク要素によって受信された測定レポートメッセージの中で取得される決定結果に従って実施される。いくつかの実施形態では、第２のネットワーク要素がレポート情報に従って無線リソース管理決定を実施するとき、支援情報が測定結果を含まないとき、決定は、最後にＵＥから第２のネットワーク要素によって受信された測定レポートメッセージの中で取得される決定結果に従って実施される。
【０１０８】
いくつかの実施形態では、無線リソース管理決定の結果が第２のネットワーク要素を解放することであるとき、本方法はさらに、第１のネットワーク要素が、第１のＲＡＴのＳＲＢを通して、第２のＲＡＴの無線リソースを解放するようにＵＥに通知することを含む。
【０１０９】
いくつかの実施形態では、無線リソース管理決定の結果が第２のネットワーク要素を切り替えることであるとき、本方法はさらに、第１のネットワーク要素が、切り替えられた第２のネットワーク要素によって送信される第２のＲＡＴの無線リソース再構成の情報を受信し、第１のＲＡＴのＳＲＢを通して、情報をＵＥに送信することを含む。
【０１１０】
いくつかの実施形態では、無線リソース管理決定の結果が第２のネットワーク要素によって第２のＲＡＴの無線リソースを再構成することであるとき、本方法はさらに、第１のネットワーク要素が、第２のネットワーク要素によって送信される第２のＲＡＴの無線リソース再構成の情報を受信し、第１のＲＡＴのＳＲＢを通して、情報をＵＥに送信することを含む。
【０１１１】
いくつかの実施形態は、第１のＲＡＴを使用する第１のネットワーク要素の中に構成される、無線リソース構成装置を提供する。図６に示されるように、無線リソース構成モジュールは、第２の受信モジュール４０と、第１の送信モジュール５０と、第１の処理モジュール６０とを含む。
【０１１２】
第２の受信モジュール４０は、第２のＲＡＴを使用する第２のネットワーク要素によって送信される第２の構成の情報を受信するように構成される。第１のＲＡＴは、第２のＲＡＴと異なる。
【０１１３】
第１の送信モジュール５０は、第１のＲＡＴのＳＲＢを通して、無線リソース構成のメッセージをＵＥに送信するように構成され、第１のＲＡＴのＳＲＢは、第１の送信モジュール５０とＵＥとの間に確立され、メッセージは、第２の構成の情報を搬送する。
【０１１４】
第１の処理モジュール６０は、第１のＲＡＴのＳＲＢを通して、ＵＥによって返される無線リソース構成の応答メッセージを受信および処理するように構成される。応答メッセージは、第２のＲＡＴの無線リソース構成の失敗についてのレポート情報を搬送する。
【０１１５】
第２の構成は、ＵＥのために第２のネットワーク要素によって実施される第２のＲＡＴの無線リソースの構成である。第１のネットワーク要素および第２のネットワーク要素は、同時に、無線インターフェースを経由してＵＥのための通信サービスを提供し、第１のネットワーク要素は、ＵＥとコアネットワークとの間に唯一の制御プレーンインターフェースを確立する。
【０１１６】
いくつかの実施形態では、レポート情報は、第１のＲＡＴに対応するＡＳＮ．１を使用することによってコード化される。第１の処理モジュール６０がＵＥによって返される無線リソース構成の応答メッセージを受信および処理するステップは、レポート情報を復号し、レポート情報に従って無線リソース管理決定を実施することを含む。
【０１１７】
別の実施形態では、レポート情報は、第２のＲＡＴに対応するＡＳＮ．１を使用することによってコード化され、応答メッセージのコンテナの中で搬送され、第１の処理モジュール６０がＵＥによって返される無線リソース構成の応答メッセージを受信および処理するステップは、応答メッセージの中のコンテナを第２のネットワーク要素に転送することを含み、コンテナの中のレポート情報を復号した後、第２のネットワーク要素は、レポート情報に従って無線リソース管理決定を実施する。
【０１１８】
いくつかの実施形態では、無線リソース管理決定の結果は、第２のネットワーク要素を解放すること、または第２のネットワーク要素を切り替えること、または第２のネットワーク要素によって第２のＲＡＴの無線リソースを再構成することである。
【０１１９】
いくつかの実施形態では、本装置はさらに、通知モジュール７０を含む。通知モジュール７０は、無線リソース管理決定の結果が第２のネットワーク要素を解放することであるとき、第１のＲＡＴのＳＲＢを通して、第２のＲＡＴの無線リソースを解放するようにＵＥに通知し、無線リソース管理決定の結果が第２のネットワーク要素を切り替えることであるとき、切り替えられた第２のネットワーク要素によって送信される第２のＲＡＴの無線リソース再構成の情報を受信し、第１のＲＡＴのＳＲＢを通して、情報をＵＥに送信し、無線リソース管理決定の結果が第２のネットワーク要素によって第２のＲＡＴの無線リソースを再構成することであるとき、第２のネットワーク要素によって送信される第２のＲＡＴの無線リソース再構成の情報を受信し、第１のＲＡＴのＳＲＢを通して、情報をＵＥに送信するように構成される。
【０１２０】
いくつかの実施形態は、第２のメモリ２１と、第２のプロセッサ２２とを含む、第１のネットワーク要素を提供する。
【０１２１】
第２のメモリ２１は、プログラムコードを記憶するように構成される。
【０１２２】
第２のプロセッサ２２は、以下の処理を実施するためのプログラムコードを読み取るように構成される。
【０１２３】
第２のＲＡＴを使用する第２のネットワーク要素によって送信される第２の構成の情報が、受信され、第１のＲＡＴは、第２のＲＡＴと異なる。
【０１２４】
無線リソース構成のメッセージは、第１のＲＡＴのＳＲＢを通してＵＥに送信され、第１のＲＡＴのＳＲＢは、第１のネットワーク要素とＵＥとの間に確立され、第２の構成の情報は、メッセージの中で搬送される。
【０１２５】
ＵＥによって返される無線リソース構成の応答メッセージは、第１のＲＡＴのＳＲＢを通して受信および処理される。無線リソース構成の応答メッセージは、第２のＲＡＴの無線リソース構成の失敗についてのレポート情報を搬送する。
【０１２６】
第２の構成は、ＵＥのために第２のネットワーク要素によって実施される第２のＲＡＴの無線リソースの構成である。第１のＲＡＴを使用する第１のネットワーク要素および第２のネットワーク要素は、同時に、無線インターフェースを経由してＵＥのための通信サービスを提供し、第１のネットワーク要素は、ＵＥとコアネットワークとの間に唯一の制御プレーンインターフェースを確立する。
【０１２７】
いくつかの実施形態では、レポート情報は、第１のＲＡＴに対応するＡＳＮ．１を使用することによってコード化される。プロセッサがＵＥによって返される無線リソース構成の応答メッセージを受信および処理するステップは、レポート情報を復号し、レポート情報に従って無線リソース管理決定を実施することを含む。
【０１２８】
別の実施形態では、レポート情報は、第２のＲＡＴに対応するＡＳＮ．１を使用することによってコード化され、応答メッセージのコンテナの中で搬送され、第２のプロセッサがＵＥによって返される無線リソース構成の応答メッセージを受信および処理するステップは、応答メッセージの中のコンテナを第２のネットワーク要素に転送することを含み、コンテナの中のレポート情報を復号した後、第２のネットワーク要素は、レポート情報に従って無線リソース管理決定を実施する。
【０１２９】
上記のソリューションを用いると、ＵＥが第２のＲＡＴの無線リソースを構成することができないとき、第１のネットワーク要素は、時間内にレポート情報を受信および処理し、第１のＲＡＴの無線リソースの構成は、ユーザプレーンのデータ伝送の中断を回避し、制御プレーンのシグナリング伝送負荷を低減させ、システム性能を向上させるように、影響を受けない。
【０１３０】
いくつかの実施形態は、第２のネットワーク要素側の無線リソース構成に関する。
【０１３１】
これらの実施形態が基づくシステムアーキテクチャは、上記の実施形態におけるシステムアーキテクチャと同一である。差異は、第２のＲＡＴのＳＲＢが第２のネットワーク要素とＵＥとの間に確立されること、および、第２のネットワーク要素が第２のＲＡＴのＳＲＢを通して第２の構成の情報をＵＥに送信することである。
【０１３２】
いくつかの実施形態は、無線リソース構成方法を提供する。図７に示されるように、本方法は、下記に説明されるステップを含む。
【０１３３】
ステップ４１０では、第２のネットワーク要素が、第２のＲＡＴのＳＲＢを通して、無線リソース構成のメッセージをＵＥに送信し、第２のＲＡＴのＳＲＢは、第２のネットワーク要素とＵＥとの間に確立され、第２の構成の情報は、メッセージの中で搬送され、第２の構成は、ＵＥのために第２のネットワーク要素によって実施される第２のＲＡＴの無線リソースの構成である。
【０１３４】
いくつかの実施形態では、第１の構成の情報は、第２のネットワーク要素によってＵＥに送信される無線リソース構成のメッセージの中で搬送されない。
【０１３５】
ステップ４２０では、第２のネットワーク要素が、ＵＥから第２のＲＡＴの無線リソース構成の失敗についてのレポート情報を受信および処理し、または無線リソース管理決定の結果を受信および処理し、決定は、第１のネットワーク要素によってレポート情報に従って実施される。
【０１３６】
第２のＲＡＴを使用する第２のネットワーク要素および第１のＲＡＴを使用する第１のネットワーク要素は、同時に、無線インターフェースを経由してＵＥのための通信サービスを提供し、第１のネットワーク要素は、ＵＥとコアネットワークとの間に唯一の制御プレーンインターフェースを確立する。
【０１３７】
いくつかの実施形態では、第２のネットワーク要素がＵＥから第２のＲＡＴの無線リソース構成の失敗についてのレポート情報を受信および処理するステップは、第２のネットワーク要素が、第２のＲＡＴのＣＣＣＨを通して、ＵＥによって返される無線リソース構成の応答メッセージを受信し、応答メッセージの中で搬送される第２のＲＡＴの無線リソース構成の失敗についてのレポート情報を復号し、レポート情報に従って無線リソース管理決定を実施することを含む。レポート情報は、第２のＲＡＴに対応するＡＳＮ．１を使用することによってコード化される。
【０１３８】
別の実施形態では、第２のネットワーク要素がＵＥから第２のＲＡＴの無線リソース構成の失敗についてのレポート情報を受信および処理するステップは、第２のネットワーク要素が、第２のＲＡＴの無線リソース構成の失敗についてのレポート情報を受信し、レポート情報は、コンテナを通して第１のネットワーク要素によって転送され、次いで、レポート情報に従って無線リソース管理決定を実施することを含む。レポート情報は、第２のＲＡＴに対応するＡＳＮ．１を使用することによってコード化される。
【０１３９】
いくつかの実施形態では、第２のネットワーク要素は、無線リソース管理決定の結果を受信および処理し、決定は、レポート情報に従って第１のネットワーク要素によって実施される。無線リソース管理決定は、第１のネットワーク要素が、ＵＥによって送信される第２のＲＡＴの無線リソース構成の失敗についてのレポート情報を受信および復号された後に開始され、レポート情報は、第１のＲＡＴに対応するＡＳＮ．１を使用することによってコード化される。
【０１４０】
いくつかの実施形態では、無線リソース管理決定の結果は、第２のネットワーク要素を解放すること、または第２のネットワーク要素を切り替えること、または第２のネットワーク要素によって第２のＲＡＴの無線リソースを再構成することである。
【０１４１】
いくつかの実施形態では、無線リソース管理決定の結果が第２のネットワーク要素によって第２のＲＡＴの無線リソースを再構成することであるとき、本方法はさらに、第２のネットワーク要素が、第２のＲＡＴの無線リソース再構成を実施する、第２のＲＡＴのＣＣＣＨを通して、第２のＲＡＴの無線リソース再構成の情報をＵＥに送信し、または第１のネットワーク要素を通して、第２のＲＡＴの無線リソース再構成の情報をＵＥに転送することを含む。
【０１４２】
いくつかの実施形態では、無線リソース管理決定の結果が第２のネットワーク要素を解放することであるとき、意思決定装置が、ＵＥに第２のＲＡＴの無線リソースを解放することを通知する。いくつかの実施形態では、無線リソース管理決定の結果が第２のネットワーク要素を切り替えることである場合、切り替えられた第２のネットワーク要素は、直接、または第１のネットワーク要素を通して、第２のＲＡＴの無線リソース再構成の情報をＵＥに送信する。
【０１４３】
いくつかの実施形態では、レポート情報は、以下の情報：第２のＲＡＴの無線リソース構成の失敗についてのインジケーション情報、または第２のＲＡＴの無線リソースを再構成する際にネットワーク側を支援するための支援情報のうちの少なくとも１つを含む。
【０１４４】
いくつかの実施形態では、支援情報は、以下の情報：失敗原因、または第２の構成で使用されることができない構成部分のうちの少なくとも１つを含む。
【０１４５】
いくつかの実施形態では、支援情報は、第２のＲＡＴの無線チャネル上のＵＥの測定結果と、以下の情報：失敗原因、または第２の構成で使用されることができない構成部分のうちの少なくとも１つとを含む。
【０１４６】
いくつかの実施形態は、第２のＲＡＴを使用する第２のネットワーク要素の中に構成される、無線リソース構成装置を提供する。図８に示されるように、無線リソース構成モジュールは、第２の送信モジュール８０と、第２の処理モジュール９０とを含む。
【０１４７】
第２の送信モジュール８０は、第２のＲＡＴのＳＲＢを通して、無線リソース構成のメッセージをＵＥに送信するように構成され、第２のＲＡＴのＳＲＢは、第２のネットワーク要素とＵＥとの間に確立され、第２の構成の情報は、メッセージの中で搬送され、第２の構成は、ＵＥのために第２のネットワーク要素によって実施される第２のＲＡＴの無線リソースの構成である。
【０１４８】
第２の処理モジュール９０は、ＵＥから第２のＲＡＴの無線リソース構成の失敗についてのレポート情報を受信および処理し、または第１のネットワーク要素によってレポート情報に従って実施される無線リソース管理決定の結果を受信および処理するように構成される。
【０１４９】
第２のＲＡＴを使用する第２のネットワーク要素および第１のＲＡＴを使用する第１のネットワーク要素は、同時に、無線インターフェースを経由してＵＥのための通信サービスを提供し、第１のネットワーク要素は、ＵＥとコアネットワークとの間に唯一の制御プレーンインターフェースを確立する。
【０１５０】
いくつかの実施形態では、第２の処理モジュール９０がＵＥから第２のＲＡＴの無線リソース構成の失敗についてのレポート情報を受信および処理するステップは、第２のＲＡＴのＣＣＣＨを通して、ＵＥによって返される無線リソース構成の応答メッセージを受信し、応答メッセージの中で搬送される第２のＲＡＴの無線リソース構成の失敗についてのレポート情報を復号し、レポート情報に従って無線リソース管理決定を実施することを含む。レポート情報は、第２のＲＡＴに対応するＡＳＮ．１を使用することによってコード化される。
【０１５１】
別の実施形態では、第２の処理モジュール９０がＵＥから第２のＲＡＴの無線リソース構成の失敗についてのレポート情報を受信および処理するステップは、第２のＲＡＴの無線リソース構成の失敗についてのレポート情報を受信し、レポート情報は、第１のネットワーク要素によって転送され、レポート情報を復号し、次いで、レポート情報に従って無線リソース管理決定を実施することを含む。レポート情報は、第２のＲＡＴに対応するＡＳＮ．１を使用することによってコード化される。
【０１５２】
いくつかの実施形態では、無線リソース管理決定の結果は、第２のネットワーク要素を解放すること、または第２のネットワーク要素を切り替えること、または第２のネットワーク要素によって第２のＲＡＴの無線リソースを再構成することである。
【０１５３】
いくつかの実施形態では、本装置はさらに、再構成モジュール１００を含む。再構成モジュール１００は、無線リソース管理決定の結果が第２のネットワーク要素によって第２のＲＡＴの無線リソースを再構成することであるとき、第２のＲＡＴの無線リソース再構成を実施する、第２のＲＡＴのＣＣＣＨを通して、第２のＲＡＴの無線リソース再構成の情報をＵＥに送信し、または第１のネットワーク要素を通して、第２のＲＡＴの無線リソース再構成の情報をＵＥに転送するように構成される。
【０１５４】
いくつかの実施形態は、第３のメモリ３１と、第３のプロセッサ３２とを含む、第２のネットワーク要素を提供する。
【０１５５】
第３のメモリ３１は、プログラムコードを記憶するように構成される。
【０１５６】
第３のプロセッサ３２は、以下の処理を実施するためのプログラムコードを読み取るように構成される。
【０１５７】
無線リソース構成のメッセージは、第２のＲＡＴのＳＲＢを通してＵＥに送信され、メッセージは、第２のネットワーク要素とＵＥとの間で確立され、第２の構成の情報は、メッセージの中で搬送され、第２の構成は、ＵＥのために第２のネットワーク要素によって実施される第２のＲＡＴの無線リソースの構成である。
【０１５８】
第２のＲＡＴの無線リソースの失敗についてのレポート情報は、ＵＥから受信され、処理され、または第１のネットワーク要素によってレポート情報に従って実施される無線リソース管理決定の結果は、受信および処理される。
【０１５９】
第２のＲＡＴを使用する第２のネットワーク要素および第１のＲＡＴを使用する第１のネットワーク要素は、同時に、無線インターフェースを経由してＵＥのための通信サービスを提供し、第１のネットワーク要素は、ＵＥとコアネットワークとの間に唯一の制御プレーンインターフェースを確立する。
【０１６０】
いくつかの実施形態では、第３のプロセッサがＵＥから第２のＲＡＴの無線リソース構成の失敗についてのレポート情報を受信および処理するステップは、第２のＲＡＴのＣＣＣＨを通して、ＵＥによって返される無線リソース構成の応答メッセージを受信し、応答メッセージの中で搬送される第２のＲＡＴの無線リソース構成の失敗についてのレポート情報を復号し、レポート情報に従って無線リソース管理決定を実施することを含む。レポート情報は、第２のＲＡＴに対応するＡＳＮ．１を使用することによってコード化される。
【０１６１】
別の実施形態では、第３のプロセッサがＵＥから第２のＲＡＴの無線リソース構成の失敗についてのレポート情報を受信および処理するステップは、第２のＲＡＴの無線リソース構成の失敗についてのレポート情報を受信し、レポート情報は、第１のネットワーク要素によって転送され、レポート情報を復号し、次いで、レポート情報に従って無線リソース管理決定を実施することを含む。レポート情報は、第２のＲＡＴに対応するＡＳＮ．１を使用することによってコード化される。
【０１６２】
上記のソリューションを用いると、ＵＥが第２のＲＡＴの無線リソースを構成することができないとき、第２のネットワーク要素は、時間内にレポート情報または決定結果を受信および処理し、ユーザプレーンのデータ伝送の中断を回避し、制御プレーンのシグナリング伝送負荷を低減させ、システム性能を向上させるように、対応する処理を実施する。
【０１６３】
無線リソース構成のシグナリングフローが、下記に説明される実施形態に説明される。
【０１６４】
いくつかの実施形態では、無線インターフェースを経由した、第１のＲＡＴを使用する第１のネットワーク要素および第２のＲＡＴを使用する第２のネットワーク要素は、緊密な結合および相互運用の様式でＵＥのための通信サービスを提供する。第１のネットワーク要素は、ＵＥとコアネットワークとの間に制御プレーンインターフェースを確立する。ＳＲＢ（第１のＳＲＢ）が、制御プレーンシグナリングの伝送を実施するように、無線インターフェースを経由してＵＥと第１のネットワーク要素との間に確立される。いくつかの実施形態では、ユーザプレーンのデータ伝送はさらに、ＵＥと第１のネットワーク要素との間で実施され、ユーザプレーンのデータ伝送のみが、ＵＥと第２のネットワーク要素との間で実施される。
【０１６５】
いくつかの実施形態における無線リソース構成方法のフローは、図９に示される通りである。本方法は、下記に説明されるステップを含む。
【０１６６】
ステップ１０１では、無線リソースの構成要件に従って、第２のネットワーク要素は、第２のネットワーク要素がＵＥによって使用される第２のＲＡＴの無線リソースに第２の構成を実施するときに、ネットワーク要素の間のインターフェースを介して、第２の構成を第１のネットワーク要素に送信する。第２の構成は、第２のＲＡＴに対応するＡＳＮ．１を使用することによってコード化され、ネットワーク要素の間のインターフェースのメッセージのコンテナの中で搬送されてもよい。いくつかの実施形態では、無線リソースの構成要件は、第２のネットワーク要素自体の無線リソース管理決定に従って第２のネットワーク要素によって作成される。いくつかの実施形態では、無線リソースの構成要件は、第１のネットワーク要素から受信される要求メッセージに従って作成される。
【０１６７】
ステップ１０２では、第２の構成を受信した後、第１のネットワーク要素が、ＲＲＣ接続再構成メッセージ等の対応するＲＲＣシグナリングを生成する。いくつかの実施形態では、ＲＲＣ接続再構成メッセージは、ＵＥによって使用される第１のＲＡＴの無線リソースに第１のネットワーク要素によって実施される第１の構成を含む。いくつかの実施形態では、第１のＲＡＴに対応するＡＳＮ．１を使用することによってコード化される第１の構成は、第２の構成から比較的に独立している。いくつかの実施形態では、第１のＲＡＴに対応するＡＳＮ．１を使用することによってコード化される第１の構成は、第２の構成と相関関係を有する。第１のネットワーク要素は、第１のＳＲＢを通して、ＲＲＣ接続再構成メッセージをＵＥに送信する。
【０１６８】
ステップ１０３では、ＵＥがＲＲＣ接続再構成メッセージを受信した後、ＵＥは、それぞれ、メッセージの中で搬送される第１の構成および第２の構成に従って、第１のＲＡＴの無線リソース構成および第２のＲＡＴの無線リソース構成を実施する。ＵＥが第１のＲＡＴの無線リソースを正常に構成し、第２のＲＡＴの無線リソースを構成することができない場合、ＵＥは、少なくとも、ＲＲＣシグナリング（ＲＲＣ接続再構成完了メッセージ等）の中でＵＥが第１のＲＡＴの無線リソースを正常に構成するという情報を示し、ＲＲＣシグナリングは、第１のネットワーク要素に返信される。情報は、第１のＡＳＮ．１を使用することによってコード化される。
【０１６９】
いくつかの実施形態では、ＲＲＣ接続再構成完了メッセージはさらに、ＵＥが第２のＲＡＴの無線リソースを構成できないことを示す情報を搬送する。
【０１７０】
いくつかの実施形態では、ＲＲＣ接続再構成完了メッセージはさらに、支援情報を搬送する。支援情報は、ＵＥが第２のＲＡＴの無線リソースを構成することができなかった理由、構成されることができない無線リソース、または構成されることができない複数の無線リソースのうちの少なくとも１つを含む。
【０１７１】
いくつかの実施形態では、支援情報はさらに、第１のネットワーク要素によって実施される第２のＲＡＴの測定構成に従って測定を実施するＵＥによって取得される、結果を含む。
【０１７２】
ＵＥが第２のＲＡＴの無線リソースを構成できないことを示すインジケーション情報および支援情報は、第１のＡＳＮ．１を使用することによってコード化される。
【０１７３】
いくつかの実施形態では、ＵＥが第２のＲＡＴの無線リソースを構成できないことを示すインジケーション情報および支援情報は、ＳＣＧ失敗情報のためのメッセージの中でのみ搬送される。いくつかの実施形態では、インジケーション情報および支援情報は、ＵＥによって基地局に送信される３ＧＰＰ  ＴＳ  ３８．３３１  Ｖ１５．０．０（２０１７−１２）の中のＲＲＣメッセージ（例えば、ＲＲＣ接続再開メッセージ）等のＵＥによって基地局に送信されるＲＲＣメッセージの中でのみ搬送される。
【０１７４】
ステップ１０４では、第１のネットワーク要素が、ＵＥが第２のＲＡＴの無線リソースを構成できないことを示すインジケーション情報を受信した後、第１のネットワーク要素は、無線リソース管理決定を実施する。決定の結果は、第２のネットワーク要素を解放すること、またはソースの第２のＲＡＴノードから標的ノードに第２のネットワーク要素を切り替えること、または第２のネットワーク要素に第２のＲＡＴの無線リソース再構成を実施することを通知することである。いくつかの実施形態では、第２のネットワーク要素を解放し、または第２のネットワーク要素を切り替えるためのプロシージャは、規格３ＧＰＰ  ＴＳ  ３７．３４０を参照する。
【０１７５】
いくつかの実施形態では、支援情報がＵＥによって返信されるＲＲＣシグナリングの中に含まれるとき、第１のネットワーク要素は、支援情報を参照して決定を実施し、測定結果が支援情報の中に含まれない場合、第１のネットワーク要素は、ＵＥから最後に受信された測定結果を参照して決定を実施する。いくつかの実施形態では、第１のネットワーク要素が第２のＲＡＴの無線リソース再構成を実施するように第２のネットワーク要素に通知するプロシージャでは、第１のネットワーク要素は、支援情報を第２のネットワーク要素に送信する。
【０１７６】
いくつかの実施形態が基づくシステムアーキテクチャは、図９が位置する実施形態のシステムアーキテクチャと同一である。実施形態における無線リソース構成方法は、図１０に示される通りであり、本方法は、下記に説明されるステップを含む。
【０１７７】
ステップ２０１および２０２は、上記の実施形態におけるステップ１０１および１０２と同一であり、第１のネットワーク要素によるＲＲＣシグナリングの送信、およびＵＥによって実施される受信ならびに構成は、図９の実施形態に図示される通りである。
【０１７８】
ステップ２０３では、ＵＥは、第２のＡＳＮ．１を使用することによって、ＵＥが第２のＲＡＴの無線リソースを構成できないことを示すインジケーション情報、および応答メッセージの中の支援情報をコード化する。いくつかの実施形態では、第２のＡＳＮ．１を使用することによってコード化されるインジケーション情報および支援情報は、ＵＥによって第１のネットワーク要素に返信されるＲＲＣシグナリング内のコンテナの中で搬送され、インジケーション情報は、ＵＥが第２のＲＡＴの無線リソースを構成できないことを示す。
【０１７９】
いくつかの実施形態では、測定結果が支援情報の中に含まれる場合、測定結果は、第２のネットワーク要素の測定構成に従って測定を実施するＵＥによって取得される結果である。
【０１８０】
ステップ２０４では、第１のネットワーク要素がＵＥからＲＲＣシグナリングを受信した後、第１のネットワーク要素は、第２のＲＡＴに関連し、シグナリングの中で搬送されるコンテナを解釈して対応する決定を行わないが、ネットワーク要素の間のインターフェースを介して、コンテナを第２のネットワーク要素に伝送する。
【０１８１】
ステップ２０５では、第２のネットワーク要素がコンテナを受信した後、第２のネットワーク要素は、コンテナの中に示される情報に従って、第２のＲＡＴに関連する無線リソース管理決定を実施する。いくつかの実施形態では、無線リソース管理決定は、第２のネットワーク要素を解放することである。いくつかの実施形態では、無線リソース管理決定は、標的の第２のＲＡＴノードを切り替えることである。いくつかの実施形態では、無線リソース管理決定は、第２のＲＡＴの無線リソースを再構成することである。いくつかの実施形態では、第２のネットワーク要素によってトリガされる、第２のネットワーク要素を解放し、または第２のネットワーク要素を切り替えるためのプロシージャは、規格３ＧＰＰ  ＴＳ  ３７．３４０を参照する。
【０１８２】
いくつかの実施形態では、支援情報がコンテナの中に含まれる場合、第２のネットワーク要素は、支援情報を参照して決定を行い、測定結果が支援情報の中に含まれない場合、第２のネットワーク要素は、最後に受信された測定結果を参照して決定を行う。
【０１８３】
いくつかの実施形態では、第２のネットワーク要素の無線リソース管理決定の結果が第２のＲＡＴの無線リソースを再構成することであるとき、第２のネットワーク要素は、ネットワーク要素の間のインターフェースを介して、ＵＥによって使用される第２のＲＡＴの無線リソースの再構成（第２の再構成と称される）を第１のネットワーク要素に送信し、対応するＲＲＣシグナリングが、第１のネットワーク要素によって生成され、第１のＳＲＢを通してＵＥに送信される。いくつかの実施形態では、第１のＳＲＢがＭＣＧ分割のベアラタイプとして構成される場合、ＲＲＣシグナリングが、ＵＥに送信されるようにＭＣＧ分割（分割ＳＲＢ）上で生じる。
【０１８４】
いくつかの実施形態では、無線インターフェースを経由した、第１のＲＡＴを使用する第１のネットワーク要素および第２のＲＡＴを使用する第２のネットワーク要素は、緊密な結合および相互運用の様式でＵＥのための通信サービスを提供する。第１のネットワーク要素は、ＵＥとコアネットワークとの間に制御プレーンインターフェースを確立する。ＳＲＢ（第１のＳＲＢおよび第２のＳＲＢ）が、それぞれ、制御プレーンシグナリングの伝送を実施するように、無線インターフェースを経由して、ＵＥと第１のネットワーク要素との間に、およびＵＥと第２のネットワーク要素との間に確立される。その一方で、ユーザプレーンのデータ伝送は、ＵＥと第１のネットワーク要素との間で、およびＵＥと第２のネットワーク要素との間で実施される。
【０１８５】
いくつかの実施形態における無線リソース構成方法のフローは、図１１に示される通りである。本方法は、下記に説明されるステップを含む。
【０１８６】
ステップ３０１では、無線リソースの構成要件に従って、第２のネットワーク要素がＵＥによって使用される第２のＲＡＴの無線リソースに第２の構成を実施するとき、第２の構成のための対応するＲＲＣシグナリング（ＲＲＣ接続再構成メッセージ等）が、第２のネットワーク要素によって生成され、第２のＳＲＢを通してＵＥに送信される。第２の構成は、第２のＡＳＮ．１を使用することによってコード化され、ＵＥによって使用される第１のＲＡＴの無線リソースに直接の影響がない。
【０１８７】
ステップ３０２では、ＵＥがＲＲＣ接続再構成メッセージを受信した後、ＵＥは、メッセージの中で搬送される第２の構成に従って、第２のＲＡＴの無線リソースに構成を実施する。ＵＥが構成を実施することができない場合、ＵＥは、制御プレーンメッセージを第２のネットワーク要素に返信する。制御プレーンメッセージは、ＵＥが第２の構成を実施できないことを示す情報を搬送する。
【０１８８】
いくつかの実施形態では、制御プレーンメッセージはさらに、支援情報を搬送する。支援情報は、ＵＥが第２の構成を実施することができなかった理由、実施されることができない第２の構成のうちの１つ、または実施されることができない第２の構成の部分のうちの少なくとも１つを含む。いくつかの実施形態では、支援情報はさらに、第２のネットワーク要素の測定構成に従って測定を実施するＵＥによって取得される、結果を含む。
【０１８９】
ＵＥが第２の構成を実施できないことを示すインジケーション情報および支援情報は、第２のＡＳＮ．１を使用することによってコード化される。
【０１９０】
いくつかの実施形態では、制御プレーンメッセージは、ＲＲＣ接続再構成完了メッセージ、またはＳＣＧ失敗情報のためのメッセージ、または他のＲＲＣシグナリングである。いくつかの実施形態では、他のＲＲＣシグナリングは、ＵＥによって基地局に送信される３ＧＰＰ  ＴＳ  ３８．３３１  Ｖ１５．０．０（２０１７−１２）の中のＲＲＣメッセージ（例えば、ＲＲＣ接続再開シグナリング）等のＵＥによって基地局に送信されるＲＲＣシグナリングである。
【０１９１】
制御プレーンメッセージは、第２のＲＡＴのＣＣＣＨを通して、第２のネットワーク要素に報告される。
【０１９２】
いくつかの実施形態では、制御プレーンメッセージは、第１のＳＲＢを通して第１のネットワーク要素に報告され、次いで、ネットワーク要素の間のインターフェースのメッセージを通して、第１のネットワーク要素によって第２のネットワーク要素に転送される。伝送パスでは、ＵＥが第２の構成を実施できないことを示すインジケーション情報および支援情報は、制御プレーンメッセージおよびネットワーク要素の間のインターフェースのメッセージのコンテナの中で搬送される。
【０１９３】
ステップ３０３では、第２のネットワーク要素が、ＵＥが第２の構成を実施できないことを示すインジケーション情報を示すインジケーション情報を受信した後、第２のネットワーク要素は、第２のＲＡＴに関連する無線リソース管理決定を実施する。決定結果および根拠は、ステップ２０３に説明されるものと同一である。
【０１９４】
いくつかの実施形態が基づくシステムアーキテクチャは、図１１が位置する実施形態のシステムアーキテクチャと同一である。これらの実施形態における方法のフローは、図１２に示される通りであり、本方法は、下記に説明されるステップを含む。
【０１９５】
ステップ４０１は、ステップ３０１と同一である。
【０１９６】
ステップ４０２では、ＵＥが第２の構成を実施できないことを示すインジケーション情報および支援情報のコーディングフォームが、ＵＥによって実施され、ＵＥが第２の構成を実施できないことを示すインジケーション情報および支援情報は、第１のＡＳＮ．１を使用することによってコード化される。ＵＥは、第１のＳＲＢを通して、制御プレーンメッセージを第１のネットワーク要素に報告する。
【０１９７】
ステップ４０３では、制御プレーンメッセージが受信された後に第１のネットワーク要素によって行われる無線リソース管理決定は、ステップ１０４に説明される決定と同一である。
【０１９８】
上記の実施形態のシステムアーキテクチャでは、ＵＥが第２のネットワーク要素に対応する第２の無線リソース構成を受信することができないとき、第１のネットワーク要素に対応する第１の無線リソース構成および無線インターフェースの再確立等のプロシージャへの影響は、上記のソリューションを通して回避され、それによって、ユーザプレーンのデータ伝送の中断を回避し、ＵＥがプロシージャを実行することの複雑性を低減させ、制御プレーンのシグナリング伝送負荷を低減させ、システム性能を向上させる。
【０１９９】
いくつかの実施形態では、上記に開示される、方法のステップの全てまたは一部、およびシステムならびに装置内の機能モジュールまたはユニットは、ソフトウェア、ファームウェア、ハードウェア、およびそれらの適切な組み合わせとして実装される。ハードウェア実装では、上記の説明に記述される機能モジュールまたはユニットの分割は、物理的コンポーネントの分割に対応しない場合がある。例えば、１つの物理的コンポーネントは、複数の機能を有してもよく、または１つの機能もしくはステップは、１つ以上の物理的コンポーネントによって合同で実行されてもよい。いくつかの実施形態では、いくつかまたは全てのコンポーネントは、中央処理装置、デジタル信号プロセッサ、もしくはマイクロコントローラ等のプロセッサによって実行されるソフトウェア、ハードウェア、または特定用途向け集積回路等の集積回路として実装される。
【０２００】
いくつかの実施形態では、上記のソフトウェアは、コンピュータ記憶媒体（または非一過性の媒体）および通信媒体（または一過性の媒体）を含み得る、コンピュータ可読媒体上に分配される。コンピュータ記憶媒体は、情報の記憶のための任意の方法または技法（コンピュータ可読命令、データ構造、またはプログラムモジュール等）で実装される、揮発性および不揮発性、可撤性および非可撤性媒体を含む。
【０２０１】
コンピュータ記憶媒体は、限定ではないが、ランダムアクセスメモリ（ＲＡＭ）、読取専用メモリ（ＲＯＭ）、電気的消去可能プログラマブル読取専用メモリ（ＥＥＰＲＯＭ）、フラッシュメモリ、または他のメモリ技術、コンパクトディスク読取専用メモリ（ＣＤ−ＲＯＭ）、デジタルビデオディスク（ＤＶＤ）、または他の光ディスク記憶装置、磁気カセット、磁気テープ、ディスク記憶装置、または他の磁気記憶装置、もしくは所望の情報を記憶するために使用され、コンピュータによってアクセス可能である任意の他の媒体を含む。通信媒体は、概して、コンピュータ可読命令、データ構造、プログラムモジュール、またはキャリアもしくは他のトランスポート機構等の変調されたデータ信号の中の他のデータを含む。いくつかの実施形態では、通信媒体は、任意の情報送達媒体を含む。
【産業上の利用可能性】
【０２０２】
無線リソース構成方法および装置、ユーザ機器、ならびにネットワーク要素は、ユーザプレーンのデータ伝送中断の現象を回避し、システム性能を向上させる。
【図１】
0006871408.tif 000002
【図２】
0006871408.tif 000003
【図３Ａ】
0006871408.tif 000004
【図３Ｂ】
0006871408.tif 000005
【図４】
0006871408.tif 000006
【図５】
0006871408.tif 000007
【図６Ａ】
0006871408.tif 000008
【図６Ｂ】
0006871408.tif 000009
【図７】
0006871408.tif 000010
【図８Ａ】
0006871408.tif 000011
【図８Ｂ】
0006871408.tif 000012
【図９】
0006871408.tif 000013
【図１０】
0006871408.tif 000014
【図１１】
0006871408.tif 000015
【図１２】
0006871408.tif 000016